(57)【要約】ＣＳＩ報告のためのＣＳＩ−ＲＳリソースの動的な再構成が、全次元の多入力多出力（ＭＩＭＯ）システムについて説明される。独立したリソース構成を有するより多数のチャネル状態情報（ＣＳＩ）基準信号（ＣＳＩ−ＲＳ）リソースが、構成され、かつ、ＣＳＩプロセスに関連付けられるが、追加のシグナリングによってアクティブにされたリソースのサブセットだけが、ＣＳＩ測定および報告に使用される。アクティブにされたＣＳＩ−ＲＳリソースのセットは、単一のＣＳＩ−ＲＳリソースだけを含み得る。次いで、周期的なＣＳＩ報告および非周期的なＣＳＩ報告の両方は、アクティブにされたＣＳＩ−ＲＳリソースの同じセットに基づき得る。媒体アクセス制御（ＭＡＣ）制御要素は、ＣＳＩ−ＲＳリソースのアクティベーション／非アクティベーションを提供するために使用され得る。追加的に、ＣＳＩ報告は、アクティブにされたＣＳＩ−ＲＳリソースと、関連するアンテナポートの数とに基づき得る。【選択図】図６Ａ
2019511853.tif 000002
【特許請求の範囲】
【請求項１】
ワイヤレス通信の方法であって、
構成され、かつ、チャネル状態情報（ＣＳＩ）報告のためのＣＳＩプロセスに関連付けられた複数のＣＳＩ−基準信号（ＣＳＩ−ＲＳ）リソースの識別情報を受信することと、
ＣＳＩ測定および報告のためにアクティブにされる、前記複数のＣＳＩ−ＲＳリソースのうちのＣＳＩ−ＲＳリソースのサブセットを識別する構成信号を受信することと、ここにおいて、前記複数の前記ＣＳＩ−ＲＳリソースのうちの前記サブセットは、前記複数のＣＳＩ−ＲＳリソースより少ない数のＣＳＩ−ＲＳリソースを含み、
前記ＣＳＩ−ＲＳリソースのサブセットに基づいてＣＳＩ報告を送信することと
を備える方法。
【請求項２】
前記複数のＣＳＩ−ＲＳリソースの前記識別情報は、前記複数のＣＳＩ−ＲＳリソースの各々について、前記周期性、オフセット、スクランブリング識別子（ＩＤ）、およびアンテナポートの数のうちの少なくとも１つ、の識別情報を含む、請求項１に記載の方法。
【請求項３】
前記ＣＳＩ−ＲＳリソースのサブセットは、単一のＣＳＩ−ＲＳリソースを含む、請求項１に記載の方法。
【請求項４】
前記構成信号を受信してから最初のＮ個のサブフレームにおいてアクティブにされたと示される前記ＣＳＩ−ＲＳリソースのサブセットに関連付けられたＣＳＩ−ＲＳを受信することと、ここで、Ｎの値は、上位レイヤシグナリングによって構成され、
アクティブにされたと示される前記ＣＳＩ−ＲＳリソースのサブセットに関連付けられたチャネル状態を測定することと、
前記測定されたチャネル状態を使用して前記ＣＳＩ報告を生成することと
をさらに含む、請求項１に記載の方法。
【請求項５】
前記Ｎの値は、４または８のうちの１つであり、条件のセットにしたがって選択され、前記条件のセットは、前記複数のＣＳＩ−ＲＳリソースの前記ＣＳＩ−ＲＳの各々に関連付けられたアンテナポートの総数が等しいことまたは前記ＣＳＩ−ＲＳリソースのサブセットのサイズが固定であることのうちの１つを含む、請求項４に記載の方法。
【請求項６】
ＣＳＩ報告機会の前に前記ＣＳＩ−ＲＳリソースのサブセットに関連付けられたＣＳＩ−ＲＳ送信を検出しないことと、
前記ＣＳＩ−ＲＳ送信を検出しないことに関連付けられた固定値を使用して前記ＣＳＩ報告を生成することと
をさらに含む、請求項１に記載の方法。
【請求項７】
前記構成信号は、非アクティブにされる前記複数のＣＳＩ−ＲＳリソースの各々および前記ＣＳＩ−ＲＳリソースのサブセットの前記複数のＣＳＩ−ＲＳリソースの各々を識別する媒体アクセス制御（ＭＡＣ）制御要素を含む、請求項１に記載の方法。
【請求項８】
前記ＭＡＣ制御要素は、Ｋビットのアクティベーションビットマップを含み、ここで、Ｋは、前記複数のＣＳＩ−ＲＳリソースの総数を表し、前記Ｋビットのアクティベーションビットマップは、非アクティブにされる前記複数のＣＳＩ−ＲＳリソースの前記各々および前記ＣＳＩ−ＲＳリソースのサブセットの前記複数のＣＳＩ−ＲＳリソースの前記各々を識別する、請求項７に記載の方法。
【請求項９】
前記構成信号を前記受信することに応答して非アクティベーションタイマを開始すること、ここにおいて、前記非アクティベーションタイマは、前記ＣＳＩ−ＲＳリソースのサブセットの非アクティベーションまで時間をカウントする、
をさらに含む、請求項７に記載の方法。
【請求項１０】
前記非アクティベーションタイマの満了に応答して前記ＣＳＩ−ＲＳリソースのサブセットを非アクティブにすることと、
ダウンリンク共有送信のために、前記非アクティブにされたＣＳＩ−ＲＳリソースのサブセットのうちの１つまたは複数を再度割り当てることと
をさらに含む、請求項９に記載の方法。
【請求項１１】
ＣＳＩ報告機会に到達することと、
前記複数のＣＳＩ−ＲＳリソースがいずれもアクティブにされたと示されていないことを識別することと、
所定のルールに基づいて、前記複数のＣＳＩ−ＲＳリソースのうちの少なくとも１つがアクティブにされると決定することと、
前記複数のＣＳＩ−ＲＳリソースのうちの前記少なくとも１つに関連付けられたチャネル状態を測定することと、
前記測定されたチャネル状態を使用して前記ＣＳＩ報告を生成することと
をさらに含む、請求項１に記載の方法。
【請求項１２】
前記識別することは、
前記ＣＳＩ報告機会に前記到達する前に、前記構成信号の第１のものを受信しないこと、
前記複数のＣＳＩ−ＲＳリソースのいずれもがアクティブにされたと示されていない状態で、前記構成信号を受信すること、または
前記ＣＳＩ−ＲＳリソースのサブセットについて前記非アクティベーションタイマの満了を検出すること
のうちの１つを含む、請求項１１に記載の方法。
【請求項１３】
前記所定のルールは、
前記複数のＣＳＩ−ＲＳリソースのうちの第１のＣＳＩ−ＲＳリソースが最小インデックスを有すること、または
前記ＣＳＩ−ＲＳリソースのサブセットの第２のＣＳＩ−ＲＳリソースが前記ＣＳＩ−ＲＳリソースのサブセットの前記最小インデックスを有すること
のうちの１つを含む、請求項１１に記載の方法。
【請求項１４】
ＣＳＩ報告タイプは、プリコーディングされていないＣＳＩ−ＲＳリソースに関し、前記ＣＳＩ−ＲＳリソースのサブセットは、単一のＣＳＩ−ＲＳリソースを含み、前記方法は、
前記ＣＳＩ−ＲＳリソースのサブセットに関連付けられたアンテナポートの数に基づいてＣＳＩペイロードを決定すること
をさらに含む、請求項１に記載の方法。
【請求項１５】
ＣＳＩ報告タイプは、ビームフォーミングされたＣＳＩ−ＲＳリソースに関し、前記ＣＳＩ−ＲＳリソースのサブセットの数は、１より大きく、前記方法は、
前記複数のＣＳＩ−ＲＳリソースの数、または
前記ＣＳＩ−ＲＳリソースのサブセットの数
のうちの１つに基づいてＣＳＩ−ＲＳリソースインジケータ（ＣＲＩ）を報告するためのビット幅を決定すること
をさらに含む、請求項１に記載の方法。
【請求項１６】
周期的なＣＳＩ報告のための、前記ＣＳＩ−ＲＳリソースのサブセットの前記ＣＳＩ−ＲＳリソースの各々に関連付けられたアンテナポートの総数を決定することと、
前記ＣＳＩ−ＲＳリソースのサブセットの前記ＣＳＩ−ＲＳリソースの各々に関連付けられた前記アンテナポートの総数が等しいことに応答して、
前記ＣＲＩおよびランクインジケータを、同じサブフレームにおいて共同で報告すること、
前記ＣＲＩ、前記ランクインジケータ、および広帯域コードブックを、同じサブフレームにおいて共同で報告すること、または
前記ＣＲＩ、前記ランクインジケータ、およびプリコーディングタイプインジケータを、同じサブフレームにおいて共同で報告すること
のうちの１つを選択することと、
ここにおいて、前記選択することは、前記周期的なＣＳＩ報告モードに基づき、
前記ＣＳＩ−ＲＳリソースのサブセットの前記ＣＳＩ−ＲＳリソースの各々に関連付けられた前記アンテナポートの総数が異なることに応答して、前記ＣＲＩおよび前記ランクインジケータを、同じサブフレームにおいて共同で報告することと
をさらに含む、請求項１５に記載の方法。
【請求項１７】
前記ランクインジケータのビット幅は、前記ＣＳＩ−ＲＳリソースのサブセットの前記ＣＳＩ−ＲＳリソースの各々に関連付けられた前記総数のアンテナポートうちのアンテナポートの最大数に基づいて決定される、請求項１６に記載の方法。
【請求項１８】
非周期的なＣＳＩ報告のための、前記ＣＳＩ−ＲＳリソースのサブセットの前記ＣＳＩ−ＲＳリソースの各々に関連付けられたアンテナポートの総数を決定することと、
前記ＣＳＩ−ＲＳリソースのサブセットの前記ＣＳＩ−ＲＳリソースの各々に関連付けられた前記アンテナポートの総数が１に等しいことに応答して、ＣＲＩをチャネル品質インジケータ（ＣＱＩ）とともに同じサブフレームにおいて共同で報告することと、
前記ＣＳＩ−ＲＳリソースのサブセットの前記ＣＳＩ−ＲＳリソースの各々に関連付けられた前記アンテナポートの総数が１より大きいことに応答して、前記ＣＲＩおよびＣＱＩをランクインジケータおよびプリコーディングマトリックスインジケータとともに同じサブフレームにおいて共同で報告することと
をさらに含む、請求項１５に記載の方法。
【請求項１９】
前記ランクインジケータのビット幅は、前記ＣＳＩ−ＲＳリソースのサブセットの前記ＣＳＩ−ＲＳリソースの各々に関連付けられた前記総数のアンテナポートうちのアンテナポートの最大数に基づいて決定される、請求項１８に記載の方法。
【請求項２０】
請求項１−１９の任意の組合せの方法。
【請求項２１】
ワイヤレス通信のために構成された装置であって、
構成され、かつ、チャネル状態情報（ＣＳＩ）報告のためのＣＳＩプロセスに関連付けられた複数のＣＳＩ−基準信号（ＣＳＩ−ＲＳ）リソースの識別情報を受信するための手段と、
ＣＳＩ測定および報告のためにアクティブにされる、前記複数のＣＳＩ−ＲＳリソースのうちのＣＳＩ−ＲＳリソースのサブセットを識別する構成信号を受信するための手段と、ここにおいて、前記複数の前記ＣＳＩ−ＲＳリソースのうちの前記サブセットは、前記複数のＣＳＩ−ＲＳリソースより少ない数のＣＳＩ−ＲＳリソースを含み、
前記ＣＳＩ−ＲＳリソースのサブセットに基づいてＣＳＩ報告を送信するための手段と
を備える装置。
【請求項２２】
前記複数のＣＳＩ−ＲＳリソースの前記識別情報は、前記複数のＣＳＩ−ＲＳリソースの各々について、前記周期性、オフセット、スクランブリング識別子（ＩＤ）、およびアンテナポートの数のうちの少なくとも１つ、の識別情報を含む、請求項２１に記載の装置。
【請求項２３】
前記ＣＳＩ−ＲＳリソースのサブセットは、単一のＣＳＩ−ＲＳリソースを含む、請求項２１に記載の装置。
【請求項２４】
前記構成信号を受信してから最初のＮ個のサブフレームにおいてアクティブにされたと示される前記ＣＳＩ−ＲＳリソースのサブセットに関連付けられたＣＳＩ−ＲＳを受信するための手段と、ここで、Ｎの値は、上位レイヤシグナリングによって構成され、
アクティブにされたと示される前記ＣＳＩ−ＲＳリソースのサブセットに関連付けられたチャネル状態を測定するための手段と、
前記測定されたチャネル状態を使用して前記ＣＳＩ報告を生成するための手段と
をさらに含む、請求項２１に記載の装置。
【請求項２５】
前記Ｎの値は、４または８のうちの１つであり、条件のセットにしたがって選択され、前記条件のセットは、前記複数のＣＳＩ−ＲＳリソースの前記ＣＳＩ−ＲＳの各々に関連付けられたアンテナポートの総数が等しいことまたは前記ＣＳＩ−ＲＳリソースのサブセットのサイズが固定であることのうちの１つを含む、請求項４に記載の装置。
【請求項２６】
ＣＳＩ報告機会の前に前記ＣＳＩ−ＲＳリソースのサブセットに関連付けられたＣＳＩ−ＲＳ送信を検出しないための手段と、
前記ＣＳＩ−ＲＳ送信を前記検出しなかったことに関連付けられた固定値を使用して前記ＣＳＩ報告を生成するための手段と
をさらに含む、請求項２１に記載の装置。
【請求項２７】
前記構成信号は、非アクティブにされる前記複数のＣＳＩ−ＲＳリソースの各々および前記ＣＳＩ−ＲＳリソースのサブセットの前記複数のＣＳＩ−ＲＳリソースの各々を識別する媒体アクセス制御（ＭＡＣ）制御要素を含む、請求項２１に記載の装置。
【請求項２８】
前記ＭＡＣ制御要素は、Ｋビットのアクティベーションビットマップを含み、ここで、Ｋは、前記複数のＣＳＩ−ＲＳリソースの総数を表し、前記Ｋビットのアクティベーションビットマップは、非アクティブにされる前記複数のＣＳＩ−ＲＳリソースの前記各々および前記ＣＳＩ−ＲＳリソースのサブセットの前記複数のＣＳＩ−ＲＳリソースの前記各々を識別する、請求項２７に記載の装置。
【請求項２９】
前記構成信号の前記受信に応答して非アクティベーションタイマを開始するための手段、ここにおいて、前記非アクティベーションタイマは、前記ＣＳＩ−ＲＳリソースのサブセットの非アクティベーションまで時間をカウントする、
をさらに含む、請求項２７に記載の装置。
【請求項３０】
前記非アクティベーションタイマの満了に応答して前記ＣＳＩ−ＲＳリソースのサブセットを非アクティブにするための手段と、
ダウンリンク共有送信のために、前記非アクティブにされたＣＳＩ−ＲＳリソースのサブセットのうちの１つまたは複数を再度割り当てるための手段と
をさらに含む、請求項２９に記載の装置。
【請求項３１】
ＣＳＩ報告機会に到達するための手段と、
前記複数のＣＳＩ−ＲＳリソースがいずれもアクティブにされたと示されていないことを識別するための手段と、
所定のルールに基づいて、前記複数のＣＳＩ−ＲＳリソースのうちの少なくとも１つがアクティブにされると決定するための手段と、
前記複数のＣＳＩ−ＲＳリソースのうちの前記少なくとも１つに関連付けられたチャネル状態を測定するための手段と、
前記測定されたチャネル状態を使用して前記ＣＳＩ報告を生成するための手段と
をさらに含む、請求項２１に記載の装置。
【請求項３２】
前記識別するための手段は、
前記ＣＳＩ報告機会に前記到達するための手段の前に前記構成信号の第１のものを受信しないための手段、
前記複数のＣＳＩ−ＲＳリソースのいずれもがアクティブにされたと示されていない状態で、前記構成信号を受信するための手段、または
前記ＣＳＩ−ＲＳリソースのサブセットについて前記非アクティベーションタイマの満了を検出するための手段
のうちの１つを含む、請求項３１に記載の装置。
【請求項３３】
前記所定のルールは、
前記複数のＣＳＩ−ＲＳリソースのうちの第１のＣＳＩ−ＲＳリソースが最小インデックスを有すること、または
前記ＣＳＩ−ＲＳリソースのサブセットの第２のＣＳＩ−ＲＳリソースが前記ＣＳＩ−ＲＳリソースのサブセットの前記最小インデックスを有すること
のうちの１つを含む、請求項３１に記載の装置。
【請求項３４】
ＣＳＩ報告タイプは、プリコーディングされていないＣＳＩ−ＲＳリソースに関し、前記ＣＳＩ−ＲＳリソースのサブセットは、単一のＣＳＩ−ＲＳリソースを含み、前記装置は、
前記ＣＳＩ−ＲＳリソースのサブセットに関連付けられたアンテナポートの数に基づいてＣＳＩペイロードを決定するための手段
をさらに含む、請求項２１に記載の装置。
【請求項３５】
ＣＳＩ報告タイプは、ビームフォーミングされたＣＳＩ−ＲＳリソースに関し、前記ＣＳＩ−ＲＳリソースのサブセットの数は、１より大きく、前記装置は、
前記複数のＣＳＩ−ＲＳリソースの数、または
前記ＣＳＩ−ＲＳリソースのサブセットの数
のうちの１つに基づいてＣＳＩ−ＲＳリソースインジケータ（ＣＲＩ）を報告するためのビット幅を決定するための手段
をさらに含む、請求項２１に記載の装置。
【請求項３６】
周期的なＣＳＩ報告のための、前記ＣＳＩ−ＲＳリソースのサブセットの前記ＣＳＩ−ＲＳリソースの各々に関連付けられたアンテナポートの総数を決定するための手段と、
前記ＣＳＩ−ＲＳリソースのサブセットの前記ＣＳＩ−ＲＳリソースの各々に関連付けられた前記アンテナポートの総数が等しいことに応答して実行可能な手段であって、
前記ＣＲＩおよびランクインジケータを、同じサブフレームにおいて共同で報告するための手段、
前記ＣＲＩ、前記ランクインジケータ、および広帯域コードブックを、同じサブフレームにおいて共同で報告するための手段、または
前記ＣＲＩ、前記ランクインジケータ、およびプリコーディングタイプインジケータを、同じサブフレームにおいて共同で報告するための手段
のうちの１つを選択するための手段と、
ここにおいて、前記選択するための手段は、前記周期的なＣＳＩ報告モードに基づき、
前記ＣＳＩ−ＲＳリソースのサブセットの前記ＣＳＩ−ＲＳリソースの各々に関連付けられた前記アンテナポートの総数が異なることに応答して実行可能な手段であって、前記ＣＲＩおよび前記ランクインジケータを、同じサブフレームにおいて共同で報告するための手段と
をさらに含む、請求項３５に記載の装置。
【請求項３７】
前記ランクインジケータのビット幅は、前記ＣＳＩ−ＲＳリソースのサブセットの前記ＣＳＩ−ＲＳリソースの各々に関連付けられた前記総数のアンテナポートうちのアンテナポートの最大数に基づいて決定される、請求項３６に記載の装置。
【請求項３８】
非周期的なＣＳＩ報告のための、前記ＣＳＩ−ＲＳリソースのサブセットの前記ＣＳＩ−ＲＳリソースの各々に関連付けられたアンテナポートの総数を決定するための手段と、
前記ＣＳＩ−ＲＳリソースのサブセットの前記ＣＳＩ−ＲＳリソースの各々に関連付けられた前記アンテナポートの総数が１に等しいことに応答して実行可能な手段であって、ＣＲＩをチャネル品質インジケータ（ＣＱＩ）とともに同じサブフレームにおいて共同で報告するための手段と、
前記ＣＳＩ−ＲＳリソースのサブセットの前記ＣＳＩ−ＲＳリソースの各々に関連付けられた前記アンテナポートの総数が１より大きいことに応答して実行可能な手段であって、前記ＣＲＩおよびＣＱＩをランクインジケータおよびプリコーディングマトリックスインジケータとともに同じサブフレームにおいて共同で報告するための手段と
をさらに含む、請求項３５に記載の装置。
【請求項３９】
前記ランクインジケータのビット幅は、前記ＣＳＩ−ＲＳリソースのサブセットの前記ＣＳＩ−ＲＳリソースの各々に関連付けられた前記総数のアンテナポートうちのアンテナポートの最大数に基づいて決定される、請求項３８に記載の装置。
【請求項４０】
請求項２１−３９の任意の組合せの装置。
【請求項４１】
ワイヤレス通信のために構成された装置であって、
少なくとも１つのプロセッサと、
前記少なくとも１つのプロセッサに結合されたメモリと
を備え、
前記少なくとも１つのプロセッサは、
構成され、かつ、チャネル状態情報（ＣＳＩ）報告のためのＣＳＩプロセスに関連付けられた複数のＣＳＩ−基準信号（ＣＳＩ−ＲＳ）リソースの識別情報を受信することと、
ＣＳＩ測定および報告のためにアクティブにされる、前記複数のＣＳＩ−ＲＳリソースのうちのＣＳＩ−ＲＳリソースのサブセットを識別する構成信号を受信することと、ここにおいて、前記複数の前記ＣＳＩ−ＲＳリソースのうちの前記サブセットは、前記複数のＣＳＩ−ＲＳリソースより少ない数のＣＳＩ−ＲＳリソースを含み、
前記ＣＳＩ−ＲＳリソースのサブセットに基づいてＣＳＩ報告を送信することと
を行うように構成される、装置。
【請求項４２】
前記複数のＣＳＩ−ＲＳリソースの前記識別情報は、前記複数のＣＳＩ−ＲＳリソースの各々について、前記周期性、オフセット、スクランブリング識別子（ＩＤ）、およびアンテナポートの数のうちの少なくとも１つ、の識別情報を含む、請求項４１に記載の装置。
【請求項４３】
前記ＣＳＩ−ＲＳリソースのサブセットは、単一のＣＳＩ−ＲＳリソースを含む、請求項４１に記載の装置。
【請求項４４】
前記構成信号を受信してから最初のＮ個のサブフレームにおいてアクティブにされたと示される前記ＣＳＩ−ＲＳリソースのサブセットに関連付けられたＣＳＩ−ＲＳを受信することと、ここで、Ｎの値は、上位レイヤシグナリングによって構成され、
アクティブにされたと示される前記ＣＳＩ−ＲＳリソースのサブセットに関連付けられたチャネル状態を測定することと、
前記測定されたチャネル状態を使用して前記ＣＳＩ報告を生成することと
を行うような前記少なくとも１つのプロセッサの構成をさらに含む、請求項４１に記載の装置。
【請求項４５】
前記Ｎの値は、４または８のうちの１つであり、条件のセットにしたがって選択され、前記条件のセットは、前記複数のＣＳＩ−ＲＳリソースの前記ＣＳＩ−ＲＳの各々に関連付けられたアンテナポートの総数が等しいことまたは前記ＣＳＩ−ＲＳリソースのサブセットのサイズが固定であることのうちの１つを含む、請求項４４に記載の装置。
【請求項４６】
ＣＳＩ報告機会の前に前記ＣＳＩ−ＲＳリソースのサブセットに関連付けられたＣＳＩ−ＲＳ送信を検出しないことと、
前記ＣＳＩ−ＲＳ送信を前記検出しないことに関連付けられた固定値を使用して前記ＣＳＩ報告を生成することと
を行うような前記少なくとも１つのプロセッサの構成をさらに含む、請求項４１に記載の装置。
【請求項４７】
前記構成信号は、非アクティブにされる前記複数のＣＳＩ−ＲＳリソースの各々および前記ＣＳＩ−ＲＳリソースのサブセットの前記複数のＣＳＩ−ＲＳリソースの各々を識別する媒体アクセス制御（ＭＡＣ）制御要素を含む、請求項４１に記載の装置。
【請求項４８】
前記ＭＡＣ制御要素は、Ｋビットのアクティベーションビットマップを含み、ここで、Ｋは、前記複数のＣＳＩ−ＲＳリソースの総数を表し、前記Ｋビットのアクティベーションビットマップは、非アクティブにされる前記複数のＣＳＩ−ＲＳリソースの前記各々および前記ＣＳＩ−ＲＳリソースのサブセットの前記複数のＣＳＩ−ＲＳリソースの前記各々を識別する、請求項４７に記載の装置。
【請求項４９】
前記構成信号の前記受信に応答して非アクティベーションタイマを開始するような前記少なくとも１つのプロセッサの構成、ここにおいて、前記非アクティベーションタイマは、前記ＣＳＩ−ＲＳリソースのサブセットの非アクティベーションまで時間をカウントする、
をさらに含む、請求項４７に記載の装置。
【請求項５０】
前記非アクティベーションタイマの満了に応答して前記ＣＳＩ−ＲＳリソースのサブセットを非アクティブにすることと、
ダウンリンク共有送信のために、前記非アクティブにされたＣＳＩ−ＲＳリソースのサブセットのうちの１つまたは複数を再度割り当てることと
を行うような前記少なくとも１つのプロセッサの構成をさらに含む、請求項４９に記載の装置。
【請求項５１】
ＣＳＩ報告機会に到達することと、
前記複数のＣＳＩ−ＲＳリソースがいずれもアクティブにされたと示されていないことを識別することと、
所定のルールに基づいて、前記複数のＣＳＩ−ＲＳリソースのうちの少なくとも１つがアクティブにされると決定することと、
前記複数のＣＳＩ−ＲＳリソースのうちの前記少なくとも１つに関連付けられたチャネル状態を測定することと、
前記測定されたチャネル状態を使用して前記ＣＳＩ報告を生成することと
を行うような前記少なくとも１つのプロセッサの構成をさらに含む、請求項４１に記載の装置。
【請求項５２】
識別するような前記少なくとも１つのプロセッサの前記構成は、
前記ＣＳＩ報告機会に前記到達するための手段の前に前記構成信号の第１のものを受信しないこと、
前記複数のＣＳＩ−ＲＳリソースのいずれもがアクティブにされたと示されていない状態で、前記構成信号を受信すること、または
前記ＣＳＩ−ＲＳリソースのサブセットについて前記非アクティベーションタイマの満了を検出すること
のうちの１つを行うような前記少なくとも１つのプロセッサの構成を含む、請求項５１に記載の装置。
【請求項５３】
前記所定のルールは、
前記複数のＣＳＩ−ＲＳリソースのうちの第１のＣＳＩ−ＲＳリソースが最小インデックスを有すること、または
前記ＣＳＩ−ＲＳリソースのサブセットの第２のＣＳＩ−ＲＳリソースが前記ＣＳＩ−ＲＳリソースのサブセットの前記最小インデックスを有すること
のうちの１つを含む、請求項５１に記載の装置。
【請求項５４】
ＣＳＩ報告タイプは、プリコーディングされていないＣＳＩ−ＲＳリソースに関し、前記ＣＳＩ−ＲＳリソースのサブセットは、単一のＣＳＩ−ＲＳリソースを含み、前記装置は、前記ＣＳＩ−ＲＳリソースのサブセットに関連付けられたアンテナポートの数に基づいてＣＳＩペイロードを決定するような前記少なくとも１つのプロセッサの構成をさらに含む、請求項４１に記載の装置。
【請求項５５】
ＣＳＩ報告タイプは、ビームフォーミングされたＣＳＩ−ＲＳリソースに関し、前記ＣＳＩ−ＲＳリソースのサブセットの数は、１より大きく、前記装置は、
前記複数のＣＳＩ−ＲＳリソースの数、または
前記ＣＳＩ−ＲＳリソースのサブセットの数
のうちの１つに基づいてＣＳＩ−ＲＳリソースインジケータ（ＣＲＩ）を報告するためのビット幅を決定するような前記少なくとも１つのプロセッサの構成をさらに含む、請求項４１に記載の装置。
【請求項５６】
周期的なＣＳＩ報告のための、前記ＣＳＩ−ＲＳリソースのサブセットの前記ＣＳＩ−ＲＳリソースの各々に関連付けられたアンテナポートの総数を決定することと、
前記ＣＳＩ−ＲＳリソースのサブセットの前記ＣＳＩ−ＲＳリソースの各々に関連付けられた前記アンテナポートの総数が等しいことに応答して、
前記ＣＲＩおよびランクインジケータを、同じサブフレームにおいて共同で報告すること、
前記ＣＲＩ、前記ランクインジケータ、および広帯域コードブックを、同じサブフレームにおいて共同で報告すること、または
前記ＣＲＩ、前記ランクインジケータ、およびプリコーディングタイプインジケータを、同じサブフレームにおいて共同で報告すること
のうちの１つを選択するような前記少なくとも１つのプロセッサの構成を選択することと、
ここにおいて、選択するような前記少なくとも１つのプロセッサの前記構成は、前記周期的なＣＳＩ報告モードに基づき、
前記ＣＳＩ−ＲＳリソースのサブセットの前記ＣＳＩ−ＲＳリソースの各々に関連付けられた前記アンテナポートの総数が異なることに応答して、前記ＣＲＩおよび前記ランクインジケータを、同じサブフレームにおいて共同で報告することと
を行うような前記少なくとも１つのプロセッサの構成をさらに含む、請求項５５に記載の装置。
【請求項５７】
前記ランクインジケータのビット幅は、前記ＣＳＩ−ＲＳリソースのサブセットの前記ＣＳＩ−ＲＳリソースの各々に関連付けられた前記総数のアンテナポートうちのアンテナポートの最大数に基づいて決定される、請求項５６に記載の装置。
【請求項５８】
非周期的なＣＳＩ報告のための、前記ＣＳＩ−ＲＳリソースのサブセットの前記ＣＳＩ−ＲＳリソースの各々に関連付けられたアンテナポートの総数を決定することと、
前記ＣＳＩ−ＲＳリソースのサブセットの前記ＣＳＩ−ＲＳリソースの各々に関連付けられた前記アンテナポートの総数が１に等しいことに応答して、ＣＲＩをチャネル品質インジケータ（ＣＱＩ）とともに同じサブフレームにおいて共同で報告することと、
前記ＣＳＩ−ＲＳリソースのサブセットの前記ＣＳＩ−ＲＳリソースの各々に関連付けられた前記アンテナポートの総数が１より大きいことに応答して、前記ＣＲＩおよびＣＱＩをランクインジケータおよびプリコーディングマトリックスインジケータとともに同じサブフレームにおいて共同で報告することと
を行うような前記少なくとも１つのプロセッサの構成をさらに含む、請求項５５に記載の装置。
【請求項５９】
前記ランクインジケータのビット幅は、前記ＣＳＩ−ＲＳリソースのサブセットの前記ＣＳＩ−ＲＳリソースの各々に関連付けられた前記総数のアンテナポートうちのアンテナポートの最大数に基づいて決定される、請求項５８に記載の装置。
【請求項６０】
請求項４１−５９の任意の組合せの装置。
【発明の詳細な説明】
【関連出願への相互参照】
【０００１】
[0001]本願は、２０１６年１月２８日に出願された「ENERGY EFFICIENT CSI MEASUREMENT FOR FD-MIMO」と題する国際ＰＣＴ特許出願第ＰＣＴ／ＣＮ２０１６／０７２５０２号の利益を主張し、これは、参照によって全体が本明細書に明白に組み込まれる。
【技術分野】
【０００２】
[0002]本開示の態様は一般に、ワイヤレス通信システムに関し、より具体的には、全次元（ＦＤ）多入力多出力（ＭＩＭＯ）のためのエネルギ効率の良いチャネル状態情報（ＣＳＩ）測定に関する。
【背景技術】
【０００３】
[0003]ワイヤレス通信ネットワークは、音声、ビデオ、パケットデータ、メッセージング、ブロードキャスト、等のような様々な通信サービスを提供するために広く展開されている。これらのワイヤレスネットワークは、利用可能なネットワークリソースを共有することで複数のユーザをサポートすることが可能な多元接続ネットワークであり得る。このようなネットワークは、通常多元接続ネットワークであり、利用可能なネットワークリソースを共有することで複数のユーザのための通信をサポートする。このようなネットワークの一例は、ユニバーサル地上波無線アクセスネットワーク（ＵＴＲＡＮ）である。ＵＴＲＡＮは、第３世代パートナーシッププロジェクト（３ＧＰＰ（登録商標））によってサポートされる第３世代（３Ｇ）携帯電話技術であるユニバーサルモバイル電気通信システム（ＵＭＴＳ）の一部として定義された無線アクセスネットワーク（ＲＡＮ）である。多元接続ネットワークフォーマットの例には、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、および単一キャリアＦＤＭＡ（ＳＣ−ＦＤＭＡ）ネットワークが含まれる。
【０００４】
[0004]ワイヤレス通信ネットワークは、複数のユーザ機器（ＵＥ）のための通信をサポートすることができる複数の基地局またはノードＢを含み得る。ＵＥは、ダウンリンクおよびアップリンクを介して基地局と通信し得る。ダウンリンク（すなわち、順方向リンク）は、基地局からＵＥへの通信リンクを指し、アップリンク（すなわち、逆方向リンク）は、ＵＥから基地局への通信リンクを指す。
【０００５】
[0005]基地局は、ダウンリンク上でＵＥにデータおよび制御情報を送信し得る、および／または、アップリンク上でＵＥからデータおよび制御情報を受信し得る。ダウンリンク上では、基地局からの送信は、隣接する基地局からのまたは他のワイヤレス無線周波数（ＲＦ）送信機からの送信による干渉に直面し得る。アップリンク上では、ＵＥからの送信は、隣接する基地局と通信する他のＵＥのアップリンク送信からのまたは他のワイヤレスＲＦ送信機からの干渉に直面し得る。この干渉は、ダウンリンクおよびアップリンクの両方においてパフォーマンスを低下させ得る。
【０００６】
[0006]モバイルブロードバンドアクセスに対する需要が高まり続けるにつれて、より多くのＵＥが長距離ワイヤレス通信ネットワークにアクセスし、そしてより多くの短距離ワイヤレスシステムがコミュニティにおいて展開されることで、干渉および輻輳ネットワークの可能性が高まる。モバイルブロードバンドアクセスに対する需要の高まりを満たすだけでなく、モバイル通信でのユーザエクスペリエンスを向上および強化するために、研究および開発がＵＭＴＳ技術を向上させ続ける。
【発明の概要】
【０００７】
[0007]本開示の一態様では、ワイヤレス通信の方法は、構成され、かつ、チャネル状態情報（ＣＳＩ）報告のためのＣＳＩプロセスに関連付けられた複数のＣＳＩ−基準信号（ＣＳＩ−ＲＳ）リソースの識別情報を受信することと、ＣＳＩ測定および報告のためにアクティブにされる、複数のＣＳＩ−ＲＳリソースのうちのＣＳＩ−ＲＳリソースのサブセットを識別する構成信号を受信することと、ここにおいて、複数のＣＳＩ−ＲＳリソースのうちのサブセットは、複数のＣＳＩ−ＲＳリソースより少ない数のＣＳＩ−ＲＳリソースを含み、ＣＳＩ−ＲＳリソースのサブセットに基づいてＣＳＩ報告を送信することとを含む。
【０００８】
[0008]本開示の追加の態様では、ワイヤレス通信のために構成された装置は、構成され、かつ、ＣＳＩ報告のためのＣＳＩプロセスに関連付けられた複数のＣＳＩ−ＲＳリソースの識別情報を受信するための手段と、ＣＳＩ測定および報告のためにアクティブにされる、複数のＣＳＩ−ＲＳリソースのうちのＣＳＩ−ＲＳリソースのサブセットを識別する構成信号を受信するための手段と、ここにおいて、複数のＣＳＩ−ＲＳリソースのうちのサブセットは、複数のＣＳＩ−ＲＳリソースより少ない数のＣＳＩ−ＲＳリソースを含み、ＣＳＩ−ＲＳリソースのサブセットに基づいてＣＳＩ報告を送信するための手段とを含む。
【０００９】
[0009]本開示の追加的な態様では、プログラムコードを記録した非一時的なコンピュータ読取可能な媒体。プログラムコードは、構成され、かつ、ＣＳＩ報告のためのＣＳＩプロセスに関連付けられた複数のＣＳＩ−ＲＳリソースの識別情報を受信するためのコードと、ＣＳＩ測定および報告のためにアクティブにされる、複数のＣＳＩ−ＲＳリソースのうちのＣＳＩ−ＲＳリソースのサブセットを識別する構成信号を受信するためのコードと、ここにおいて、複数のＣＳＩ−ＲＳリソースのうちのサブセットは、複数のＣＳＩ−ＲＳリソースより少ない数のＣＳＩ−ＲＳリソースを含み、ＣＳＩ−ＲＳリソースのサブセットに基づいてＣＳＩ報告を送信ためのコードとをさらに含む。
【００１０】
[0010]本開示の追加的な態様では、ワイヤレス通信のために構成された装置が開示される。装置は、少なくとも１つのプロセッサと、このプロセッサに結合されたメモリとを含む。プロセッサは、構成され、かつ、ＣＳＩ報告のためのＣＳＩプロセスに関連付けられた複数のＣＳＩ−ＲＳリソースの識別情報を受信することと、ＣＳＩ測定および報告のためにアクティブにされる、複数のＣＳＩ−ＲＳリソースのうちのＣＳＩ−ＲＳリソースのサブセットを識別する構成信号を受信することと、ここにおいて、複数のＣＳＩ−ＲＳリソースのうちのサブセットは、複数のＣＳＩ−ＲＳリソースより少ない数のＣＳＩ−ＲＳリソースを含み、ＣＳＩ−ＲＳリソースのサブセットに基づいてＣＳＩ報告を送信することとを行うように構成される。
【００１１】
[0011]前述の記載は、次に続く詳細な説明がより良く理解され得るように、本開示に係る例の特徴および技術的利点を、ある程度広く概説したものである。追加の特徴および利点が以下に説明される。開示される概念および特定の例は、本開示と同じ目的を実行するために他の構造を修正または設計するための基礎として容易に利用され得る。このような、同等の構造は、添付の特許請求の範囲の範囲から逸脱しない。関連する利点と共に、本明細書に開示される概念の特性は、それらの構成（organization）および動作の方法の両方に関して、添付の図と併せて考慮されると以下の説明からより良く理解される。これら図の各々は、例示および説明のために提供されており、特許請求の範囲の限定の定義として提供されているわけではない。
【００１２】
[0012]本開示の本質および利点のさらなる理解は、以下の図面を参照することで実現され得る。添付の図面では、同様の構成要素または特徴は、同じ参照ラベルを有し得る。さらに、同じタイプの様々な構成要素は、この参照ラベルの後に、ダッシュと、それらの同様の構成要素同士を区別する第２のラベルとを続けることによって区別され得る。本明細書において第１の参照ラベルだけが使用される場合、その説明は、第２の参照ラベルにかかわらず、同じ第１の参照ラベルを有する同様の構成要素のうちの任意のものに適用可能である。
【図面の簡単な説明】
【００１３】
【図１】[0013]図１は、ワイヤレス通信システムの詳細を例示するブロック図である。
【図２】[0014]図２は、本開示の一態様にしたがって構成された基地局／ｅＮＢおよびＵＥの設計を概念的に例示するブロック図である。
【図３】[0015]図３は、典型的な２Ｄアクティブアンテナアレイを例示するブロック図である。
【図４Ａ】[0016]図４Ａは、プリコーディングされていないＣＳＩ−ＲＳを送信する例となる基地局を例示するブロック図である。
【図４Ｂ】[0017]図４Ｂは、ＣＳＩ−ＲＳリソースを使用して、ビームフォーミングされたＣＳＩ−ＲＳを送信する例となる基地局を例示するブロック図である。
【図５Ａ】[0018]図５Ａは、本開示の一態様をインプリメントするために実行される例となるブロックを例示するブロック図である。
【図５Ｂ】図５Ｂは、本開示の一態様をインプリメントするために実行される例となるブロックを例示するブロック図である。
【図６Ａ】[0019]図６Ａは、本開示の態様にしたがって構成された基地局とＵＥとの間の通信の送信ストリームを例示するブロック図である。
【図６Ｂ】図６Ｂは、本開示の態様にしたがって構成された基地局とＵＥとの間の通信の送信ストリームを例示するブロック図である。
【図７】[0020]図７は、本開示の一態様にしたがって構成されたｅＮＢを例示するブロック図である。
【図８】[0021]図８は、本開示の一態様にしたがって構成されたＵＥを例示するブロック図である。
【詳細な説明】
【００１４】
[0022]添付の図面に関連して以下に示される詳細な説明は、様々な可能な構成の説明として意図されており、本開示の範囲を限定するようには意図されていない。むしろ、詳細な説明は、特許性を有する主題の十分な理解を与えることを目的として特定の詳細を含む。これら特定の詳細がすべてのケースで必要とされるわけではないこと、および、いくつかの事例では、周知の構造および構成要素が提示の明確さのためにブロック図の形式で示されることは、当業者には明らかになるであろう。
【００１５】
[0023]本開示は一般に、ワイヤレス通信ネットワークとも呼ばれる２つ以上のワイヤレス通信システム間の認可された共有アクセスを提供することまたはそれに参加することに関する。様々な実施形態では、技法および装置は、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、単一キャリアＦＤＭＡ（ＳＣ−ＦＤＭＡ）ネットワーク、ＬＴＥ（登録商標）ネットワーク、ＧＳＭ（登録商標）ネットワークのような様々なワイヤレス通信ネットワークだけでなく他の通信ネットワークにも使用され得る。本明細書で説明される場合、「ネットワーク」および「システム」という用語は、交換可能に使用され得る。
【００１６】
[0024]ＣＤＭＡネットワークは、ユニバーサル地上無線アクセス（ＵＴＲＡ）、ｃｄｍａ２０００、等の無線技術をインプリメントし得る。ＵＴＲＡは広帯域ＣＤＭＡ（Ｗ−ＣＤＭＡ（登録商標））および低チップレート（ＬＣＲ）を含む。ＣＤＭＡ２０００は、ＩＳ−２０００、ＩＳ−９５、およびＩＳ−８５６規格をカバーする。
【００１７】
[0025]ＴＤＭＡネットワークは、モバイル通信のためのグローバルシステム（ＧＳＭ）のような無線技術をインプリメントし得る。３ＧＰＰは、ＧＥＲＡＮとも表され得る、ＧＳＭ ＥＤＧＥ（enhanced data rates for GSM（登録商標） evolution）無線アクセスネットワーク（ＲＡＮ）のための規格を定義する。ＧＥＲＡＮは、基地局（例えば、ＡｔｅｒおよびＡｂｉａｓインターフェース）および基地局コントローラ（Ａインターフェース、等）を結びつける（join）ネットワークと共に、ＧＳＭ／ＥＤＧＥの無線構成要素である。無線アクセスネットワークは、ＧＳＭネットワークの構成要素を表し、それを通して、電話呼およびパケットデータが、公衆交換電話網（ＰＳＴＮ）およびインターネットから／に、ユーザ端末またはユーザ機器（ＵＥ）としても知られている加入者ハンドセットに／からルーティングされる。モバイル電話オペレータのネットワークは、ＵＭＴＳ／ＧＳＭネットワークのケースではＵＴＲＡＮに結合され得る１つまたは複数のＧＥＲＡＮを備え得る。オペレータネットワークはまた、１つまたは複数のＬＴＥネットワークおよび／または１つまたは複数の他のネットワークを含み得る。様々な異なるネットワークタイプは、異なる無線アクセス技術（ＲＡＴ）および無線アクセスネットワーク（ＲＡＮ）を使用し得る。
【００１８】
[0026]ＯＦＤＭＡネットワークは、次世代ＵＴＲＡ（Ｅ−ＵＴＲＡ）、ＩＥＥＥ８０２．１１、ＩＥＥＥ８０２．１６、ＩＥＥＥ８０２．２０、フラッシュＯＦＤＭ、等の無線技術をインプリメントし得る。ＵＴＲＡ、Ｅ−ＵＴＲＡ、およびＧＳＭは、ユニバーサルモバイル電気通信システム（ＵＭＴＳ）の一部である。具体的には、ロングタームエボリューション（ＬＴＥ）は、Ｅ−ＵＴＲＡを使用するＵＭＴＳのリリースである。ＵＴＲＡ、Ｅ−ＵＴＲＡ、ＧＳＭ、ＵＭＴＳ、およびＬＴＥは、「第３世代パートナーシッププロジェクト」（３ＧＰＰ）と称する団体から提供される文書において説明されており、ｃｄｍａ２０００は、「第３世代パートナーシッププロジェクト２」（３ＧＰＰ２）と称する団体からの文書において説明されている。これらの様々な無線技術および規格は、知られているか、開発されている最中である。例えば、第３世代パートナーシッププロジェクト（３ＧＰＰ）は、世界的に適用可能な第３世代（３Ｇ）モバイル電話仕様を定義することを目的とした電気通信工業会のグループ間の共同研究である。３ＧＰＰロングタームエボリューション（ＬＴＥ）は、ユニバーサルモバイル通信システム（ＵＭＴＳ）モバイル電話規格を改善することを目的とした３ＧＰＰプロジェクトである。３ＧＰＰは、次世代のモバイルネットワーク、モバイルシステム、およびモバイルデバイスの仕様を定義し得る。明瞭さのために、装置および技法の特定の態様は、ＬＴＥインプリメンテーションについてまたはＬＴＥ中心の方法で以下に説明され得、ＬＴＥ用語が、以下の説明の複数の部分において実例となる例として使用され得るが、この説明は、ＬＴＥアプリケーションに制限されることを意図するものではない。実際、本開示は、異なる無線アクセス技術または無線エアインターフェースを使用したネットワーク間のワイヤレススペクトルへの共有アクセスに関係している。
【００１９】
[0027]キャリアグレードのＷｉＦｉ（carrier-grade WiFi）と互換性があり得る、アンライセンススペクトルを含むＬＴＥ／ＬＴＥ−Ａに基づく新たなキャリアタイプも提案されており、これにより、アンライセンススペクトルを用いるＬＴＥ／ＬＴＥ−ＡがＷｉＦｉの代わりになった。アンライセンススペクトルで動作しているとき、ＬＴＥ／ＬＴＥ−Ａは、ＬＴＥコンセプトを活用し得、そして、アンライセンススペクトルにおいて効率的な動作を提供し、規制要件（regulatory requirement）を満たすように、ネットワークデバイスまたはネットワークの物理レイヤ（ＰＨＹ）および媒体アクセス制御（ＭＡＣ）態様にいくつかの修正を取り入れ得る。使用されるアンライセンススペクトルは、例えば、数百メガヘルツ（ＭＨｚ）ほどの低さから、数十ギガヘルツ（ＧＨｚ）ほどの高さまでの範囲であり得る。動作中、そのようなＬＴＥ／ＬＴＥ−Ａネットワークは、負荷および利用性に依存してライセンスまたはアンライセンススペクトルの任意の組み合わせを用いて動作し得る。したがって、本明細書で説明されるシステム、装置、および方法が他の通信システムおよびアプリケーションに適用され得ることは当業者には明らかであるであろう。
【００２０】
[0028]システム設計は、ビームフォーミングおよび他の機能を容易にするために、ダウンリンクおよびアップリンクのための様々な時間周波数基準信号をサポートし得る。基準信号は、既知のデータに基づいて生成される信号であり、パイロット、プリアンブル、トレーニング信号、サウンディング信号、等とも呼ばれ得る。基準信号は、チャネル推定、コヒーレント復調、チャネル品質測定、信号強度測定、等のような様々な目的のために受信機によって使用され得る。複数のアンテナを使用するＭＩＭＯシステムは一般に、アンテナ間での基準信号の送信（sending）の調整を提供するが、ＬＴＥシステムは、一般に、複数の基地局またはｅＮＢからの基準信号の送信の調整を提供しない。
【００２１】
[0029]いくつかのインプリメンテーションでは、システムは、時分割複信（ＴＤＤ）を利用し得る。ＴＤＤの場合、ダウンリンクおよびアップリンクは、同じ周波数スペクトルまたはチャネルを共有し、ダウンリンクおよびアップリンク送信は、同じ周波数スペクトル上で送られる。ゆえに、ダウンリンクチャネル応答は、アップリンクチャネル応答と相関し得る。相互関係は、アップリンクを介して送られる送信に基づいて、ダウンリンクチャネルが推定されることを可能にし得る。これらのアップリンク送信は、基準信号またはアップリンク制御チャネルであり得る（これは、復調の後に、基準シンボルとして使用され得る）。アップリンク送信は、複数のアンテナを介した空間選択チャネルの推定を可能にし得る。
【００２２】
[0030]ＬＴＥインプリメンテーションでは、直交周波数分割多重化（ＯＦＤＭ）が、ダウンリンク、すなわち、基地局、アクセスポイント、またはｅノードＢ（ｅＮＢ）からユーザ端末またはＵＥ、のために使用される。ＯＦＤＭの使用は、スペクトル柔軟性に関するＬＴＥ要件を満たし、高いピークレートを有するかなり広いキャリアに対してコスト効率の良い解決策を可能にし、そしてこれは、安定した技術である。例えば、ＯＦＤＭは、ＩＥＥＥ８０２．１１ａ／ｇ、８０２．１６、欧州電気通信規格協会（ＥＴＳＩ）によって標準化された高性能無線ＬＡＮ−２（ＨＩＰＥＲＬＡＮ−２、ここにおいて、ＬＡＮは、ローカルエリアネットワークを表す）、ＥＴＳＩの共同技術委員会によって公開されたデジタルビデオブロードキャスティング（ＤＶＢ）のような規格および他の規格において使用される。
【００２３】
[0031]（本明細書では、明確さのために、リソースブロックまたは「ＲＢ」とも表される）時間周波数物理リソースブロックは、トランスポートキャリア（例えば、サブキャリア）またはデータをトランスポートするために割り当てられるインターバルのグループとしてＯＦＤＭシステムにおいて定義され得る。ＲＢは、時間および周波数期間にわたって定義される。リソースブロックは、（本明細書では、明確さのために、リソース要素または「ＲＥ」とも表される）時間周波数リソース要素から構成されており、これは、スロット中の時間および周波数のインデックスによって定義され得る。ＬＴＥ ＲＢおよびＲＥの追加の詳細は、例えば、３ＧＰＰ ＴＳ ３６．２１１のような３ＧＰＰ仕様において説明されている。
【００２４】
[0032]ＵＭＴＳ ＬＴＥは、２０ＭＨｚから下は１．４ＭＨＺまでのスケーラブルなキャリア帯域幅をサポートする。ＬＴＥでは、ＲＢは、サブキャリア帯域幅が１５ｋＨｚであるときには１２個のサブキャリアとして、またはサブキャリア帯域幅が７．５ｋＨｚであるときには２４個のサブキャリアとして定義される。例示的なインプリメンテーションでは、時間ドメインに、１０ｍｓの長さであり、各々１ミリ秒（ｍｓ）の１０個のサブフレームから成る定義された無線フレームが存在する。すべてのサブフレームは、２つのスロットから成り、ここで、各スロットは、０．５ｍｓである。このケースでの周波数ドメインにおけるサブキャリア間隔は１５ｋＨｚである。（１スロットあたり）これらのサブキャリアのうちの１２個はまとまってＲＢを構成するため、このインプリメンテーションでは、１つのリソースブロックは、１８０ｋＨｚである。６つのリソースブロックは、１．４ＭＨｚのキャリアに収まり、１００個のリソースブロックは、２０ＭＨｚのキャリアに収まる。
【００２５】
[0033]本開示の様々な他の態様および特徴が、以下にさらに説明される。本明細書における教示が多種多様な形態で具現化され得ること、および本明細書に開示されている任意の特定の構造、機能、またはその両方が単に代表的なものにすぎず限定的ではないことは、明白であるはずである。本明細書における教示に基づいて、当業者は、本明細書に開示された態様が任意の他の態様から独立してインプリメントされ得ること、およびこれらの態様のうちの２つ以上が様々な方法で組み合わされ得ることを理解するはずである。例えば、本明細書で示される任意の数の態様を使用して、装置がインプリメントされ得るか、方法が実施され得る。加えて、本明細書で示される態様のうちの１つまたは複数に加えてまたはそれら以外の他の構造、機能性、または構造と機能性を使用して、そのような装置がインプリメントされ得るか、そのような方法が実現され得る。例えば、システム、デバイス、装置の一部として、および／または、プロセッサまたはコンピュータ上での実行のための、コンピュータ読取可能な媒体に記憶されている命令として、方法がインプリメントされ得る。さらに、態様は、特許請求の範囲の少なくとも１つの要素を備え得る。
【００２６】
[0034]図１は、通信のためのワイヤレスネットワーク１００を示し、これは、ＬＴＥ−Ａネットワークであり得る。ワイヤレスネットワーク１００は、複数の発展型ノードＢ（ｅＮＢ）１０５および他のネットワークエンティティを含む。ｅＮＢは、ＵＥと通信する局であり得、基地局、ノードＢ、アクセスポイント、等とも呼ばれ得る。各ｅＮＢ１０５は、特定の地理的エリアに通信カバレッジを提供し得る。３ＧＰＰでは、「セル」という用語は、この用語が使用されるコンテキストに依存して、ｅＮＢのこの特定の地理的なカバレッジエリアおよび／またはこのカバレッジエリアにサービス提供するｅＮＢサブシステムを指すことができる。
【００２７】
[0035]ｅＮＢは、マクロセル、または、ピコセルまたはフェムトセルのようなスモールセル、および／または他のタイプのセルに通信カバレッジを提供し得る。マクロセルは一般に、比較的広い地理的エリア（例えば、半径数キロメートル）をカバーし、ネットワークプロバイダにサービス加入しているＵＥによる無制限のアクセスを可能にし得る。ピコセルのようなスモールセルは一般に、比較的より狭い地理的エリアをカバーし得、ネットワークプロバイダにサービス加入しているＵＥによる無制限のアクセスを可能にし得る。フェムトセルのようなスモールセルも一般に、比較的狭い地理的エリア（例えば、住宅）をカバーし得、無制限のアクセスに加えて、このフェムトセルと関連のあるＵＥ（例えば、クローズド加入者グループ（ＣＳＧ）内のＵＥ、住宅の中にいるユーザのＵＥ、等）による制限付きのアクセスも提供し得る。マクロセルのためのｅＮＢは、マクロｅＮＢと呼ばれ得る。スモールセルのためのｅＮＢは、スモールセルｅＮＢ、ピコｅＮＢ、フェムトｅＮＢ、またはホームｅＮＢと呼ばれ得る。図１に示される例では、ｅＮＢ１０５ａ、１０５ｂ、および１０５ｃはそれぞれ、マクロセル１１０ａ、１１０ｂ、および１１０ｃのためのマクロｅＮＢである。ｅＮＢ１０５ｘ、１０５ｙ、および１０５ｚは、スモールセルｅＮＢであり、これらは、それぞれ、スモールセル１１０ｘ、１１０ｙ、および１１０ｚにサービスを提供するピコまたはフェムトｅＮＢを含み得る。ｅＮＢは、１つまたは複数の（例えば、２つ、３つ、４つ、等の）セルをサポートし得る。
【００２８】
[0036]ワイヤレスネットワーク１００は、同期動作または非同期動作をサポートし得る。同期動作の場合、ｅＮＢは、同様のフレームタイミングを有し得、異なるｅＮＢからの送信は、時間的にほぼ揃えられ（be approximately aligned in time）得る。非同期動作の場合、ｅＮＢは、異なるフレームタイミングを有し得、異なるｅＮＢからの送信は、時間的に揃えられないであろう。
【００２９】
[0037]ＵＥ１１５は、ワイヤレスネットワーク１００全体に散在しており、各ＵＥは、固定式またはモバイルであり得る。ＵＥは、端末、モバイル局、加入者ユニット、局、等とも呼ばれ得る。ＵＥは、セルラ電話、携帯情報端末（ＰＤＡ）、ワイヤレスモデム、ワイヤレス通信デバイス、ハンドヘルドデバイス、タブレットコンピュータ、ラップトップコンピュータ、コードレス電話、ワイヤレスローカルループ（ＷＬＬ）局、等であり得る。ＵＥは、マクロｅＮＢ、ピコｅＮＢ、フェムトｅＮＢ、中継器、等と通信することが可能であり得る。図１では、稲妻（例えば、通信リンク１２５）は、ＵＥと、ダウンリンクおよび／またはアップリンク上でＵＥにサービス提供するように指定されたｅＮＢであるサービングｅＮＢとの間のワイヤレス送信またはｅＮＢ間の所望の送信を示す。ワイヤードバックホール通信１３４は、ｅＮＢ間で発生し得るワイヤードバックホール通信を示す。
【００３０】
[0038]ＬＴＥ／−Ａは、ダウンリンク上では直交周波数分割多重化（ＯＦＤＭ）を利用し、アップリンク上では単一キャリア周波数分割多重化（ＳＣ−ＦＤＭ）を利用する。ＯＦＤＭおよびＳＣ−ＦＤＭは、システム帯域幅を、一般にトーン、ビン、等とも呼ばれる複数の（Ｘ個の）直交サブキャリアに分割する。各サブキャリアは、データで変調され得る。一般に、変調シンボルは、ＯＦＤＭでは周波数領域でおよびＳＣ−ＦＤＭでは時間領域で送られる。隣接するサブキャリア間の間隔は固定であり得、サブキャリアの総数（Ｘ）はシステム帯域幅に依存し得る。例えば、Ｘは、１．４、３、５、１０、１５、または２０メガヘルツ（ＭＨｚ）という対応するシステム帯域幅に対して、それぞれ、７２、１８０、３００、６００、９００、および１２００に等しいであろう。システム帯域幅はまた、サブ帯域に分割され得る。例えば、サブ帯域は１．０８ＭＨｚをカバーし得、それぞれ１、２、４、８、または１６個のサブ帯域が、１．４、３、５、１０、１５、または２０ＭＨｚという対応するシステム帯域幅に対して、存在し得る。
【００３１】
[0039]図２は、基地局／ｅＮＢ１０５およびＵＥ１１５の設計のブロック図を示し、これらは、図１の基地局／ｅＮＢのうちの１つおよびＵＥのうちの１つであり得る。制限付きのアソシエーションシナリオの場合、ｅＮＢ１０５は、図１のスモールｅＮＢ１０５ｚであり得、ＵＥ１１５は、スモールセルｅＮＢ１０５ｚにアクセスするために、スモールセルｅＮＢ１０５ｚにとってアクセス可能なＵＥのリストに含まれるであろうＵＥ１１５ｚであり得る。ｅＮＢ１０５はまた、何らかの他のタイプの基地局であり得る。ｅＮＢ１０５は、アンテナ２３４ａ〜２３４ｔが備わっており、ＵＥ１１５は、アンテナ２５２ａ〜２５２ｒが備わっているであろう。
【００３２】
[0040]ｅＮＢ１０５において、送信プロセッサ２２０は、データソース２１２からデータを、コントローラ／プロセッサ２４０から制御情報を受け取り得る。制御情報は、ＰＢＣＨ、ＰＣＦＩＣＨ、ＰＨＩＣＨ、ＰＤＣＣＨ、等のためのものであり得る。データは、ＰＤＳＣＨ、等のためのものであり得る。送信プロセッサ２２０は、このデータおよび制御情報を処理（例えば、符号化およびシンボルマッピング）して、それぞれ、データシンボルおよび制御シンボルを取得し得る。送信プロセッサ２２０はまた、例えば、ＰＳＳ、ＳＳＳ、およびセル固有基準信号のための、基準シンボルを生成し得る。送信（ＴＸ）多入力多出力（ＭＩＭＯ）プロセッサ２３０は、適用可能であれば、これらデータシンボル、制御シンボル、および／または基準シンボルに対して空間処理（例えば、プリコーディング）を実行し、変調器（ＭＯＤ）２３２ａ〜２３２ｔに出力シンボルストリームを提供し得る。各変調器２３２は、（例えば、ＯＦＤＭ、等のために）それぞれの出力シンボルストリームを処理して、出力サンプルストリームを取得し得る。各変調器２３２は、この出力サンプルストリームをさらに処理（例えば、アナログ変換、増幅、フィルタ処理、およびアップコンバート）して、ダウンリンク信号を取得し得る。変調器２３２ａ〜２３２ｔからのダウンリンク信号は、それぞれ、アンテナ２３４ａ〜２３４ｔを介して送信され得る。
【００３３】
[0041]ＵＥ１１５において、アンテナ２５２ａ〜２５２ｒは、ｅＮＢ１０５からダウンリンク信号を受信し、受信した信号をそれぞれ復調器（ＤＥＭＯＤ）２５４ａ〜２５４ｒに提供し得る。各復調器２５４は、それぞれの受信した信号を調整（例えば、フィルタ処理、増幅、ダウンコンバート、およびデジタル化）して、入力サンプルを取得し得る。各復調器２５４は、（例えば、ＯＦＤＭ、等のために）これら入力サンプルをさらに処理して、受信シンボルを取得し得る。ＭＩＭＯ検出器２５６は、すべての復調器２５４ａ〜２５４ｒから受信シンボルを取得し、適用可能であれば、これら受信シンボルに対してＭＩＭＯ検出を実行し、検出されたシンボルを提供し得る。受信プロセッサ２５８は、検出されたシンボルを処理（例えば、復調、デインタリーブ、および復号）し、ＵＥ１１５についての復号されたデータをデータシンク２６０に提供し、復号された制御情報をコントローラ／プロセッサ２８０に提供し得る。
【００３４】
[0042]アップリンク上では、ＵＥ１１５において、送信プロセッサ２６４は、データソース２６２から（例えば、ＰＵＳＣＨのための）データを、コントローラ／プロセッサ２８０から（例えば、ＰＵＣＣＨのための）制御情報を受け取り、処理し得る。送信プロセッサ２６４はまた、基準信号のための基準シンボルを生成し得る。送信プロセッサ２６４からのシンボルは、適用可能であれば、ＴＸ ＭＩＭＯプロセッサ２６６によってプリコーディングされ、（例えば、ＳＣ−ＦＤＭ、等のために）変調器２５４ａ〜２５４ｒによってさらに処理され、ｅＮＢ１０５に送信され得る。ｅＮＢ１０５において、ＵＥ１１５からのアップリンク信号は、アンテナ２３４によって受信され、復調器２３２によって処理され、適用可能な場合、ＭＩＭＯ検出器２３６によって検出され、受信プロセッサ２３８によってさらに処理されて、ＵＥ１１５によって送られた、復号されたデータおよび制御情報を取得し得る。プロセッサ２３８は、復号されたデータをデータシンク２３９に提供し、復号された制御情報をコントローラ／プロセッサ２４０に提供し得る。
【００３５】
[0043]コントローラ／プロセッサ２４０および２８０は、それぞれ、ｅＮＢ１０５およびＵＥ１１５における動作を指示し得る。コントローラ／プロセッサ２４０および／またはｅＮＢ１０５にある他のプロセッサおよびモジュールは、本明細書で説明される技法に関する様々なプロセスを実行し得るか、それらの実行を指示し得る。コントローラ／プロセッサ２８０および／またはＵＥ１１５にある他のプロセッサおよびモジュールもまた、図５Ａおよび図５Ｂに例示されている機能ブロックおよび／または本明細書で説明される技法に関する他のプロセスを実行し得るか、それらの実行を指示し得る。メモリ２４２および２８２は、それぞれ、ｅＮＢ１０５およびＵＥ１１５のためのデータおよびプログラムコードを記憶し得る。スケジューラ２４４は、ダウンリンクおよび／またはアップリンク上でのデータ送信のためにＵＥをスケジュールし得る。
【００３６】
[0044]多入力多出力（ＭＩＭＯ）技術は一般に、通信が、ｅＮＢにおけるチャネル状態情報（ＣＳＩ）フィードバックを用いて空間次元を利用することを可能にする。ｅＮＢは、ＣＳＩ基準信号（ＣＳＩ−ＲＳ）リソース構成および送信モードのような、ＲＲＣを介してｅＮＢによってシグナリングされた構成に基づいてＵＥがＣＳＩを測定する対象のセル固有ＣＳＩ−ＲＳをブロードキャストし得る。ＣＳＩ−ＲＳは、５、１０、２０、４０、８０ｍｓ、等の周期で周期的に送信される。ＵＥは、同じくｅＮＢによって構成されるＣＳＩ報告インスタンスでＣＳＩを報告し得る。ＣＳＩ報告の一部として、ＵＥは、チャネル品質インジケータ（ＣＱＩ）、プリコーディングマトリックスインジケータ（ＰＭＩ）、およびランクインジケータ（ＲＩ）を生成および報告する。ＣＳＩは、ＰＵＣＣＨを介してまたはＰＵＳＣＨを介して報告されることができ、潜在的に異なる粒度で周期的または非周期的に報告され得る。ＰＵＣＣＨを介して報告されるとき、ＣＳＩのためのペイロードサイズは、制限され得る。
【００３７】
[0045]システム容量を増加させるたに、ｅＮＢが、アンテナポートが水平軸と垂直軸の両方を有する多数のアンテナを有する二次元（２Ｄ）アクティブアンテナアレイを使用し、より多数のトランシーバユニットを有する全次元（ＦＤ）−ＭＩＭＯ技術が検討されている。従来のＭＩＭＯシステムの場合、ビームフォーミングは典型的に、３Ｄマルチパス伝播ではあるが、方位次元（azimuth dimension）だけを使用してインプリメントされている。しかしながら、ＦＤ−ＭＩＭＯの場合、各トランシーバユニットは、それ自体の独立した振幅および位相制御を有する。２Ｄアクティブアンテナアレイを伴ったそのような能力は、送信される信号が、従来のマルチアンテナシステムにあるような水平方向だけでなく、水平方向と垂直方向の両方向に同時にステアリングされる（be steered）ことを可能にし、これは、ｅＮＢからＵＥへのビーム方向を成形する際により多くの柔軟性を提供する。垂直方向への動的なビームステアリングを提供することは、干渉回避における重要な利得に帰着することが示されている。ゆえに、ＦＤ−ＭＩＭＯ技術は、水平（azimuth）および垂直（elevation）ビームフォーミンの両方を利用し得、これは、ＭＩＭＯシステム容量および信号品質を大いに改善するであろう。
【００３８】
[0046]図３は、典型的な２Ｄアクティブアンテナアレイ３０を例示するブロック図である。アクティブアンテナアレイ３０は、各列が８つの交差偏波垂直アンテナ素子を含む４つの列を備える、６４送信機交差偏波均一面アンテナアレイ（64-transmitter, cross-polarized uniform planar antenna array）である。アクティブアンテナアレイは、アンテナ列の数（Ｎ）、偏波タイプ（Ｐ）、および１つの列中の同じ偏波タイプを有する垂直素子の数（Ｍ）にしたがって説明されることが多い。ゆえに、アクティブアンテナアレイ３０は、８つの垂直（Ｍ＝８）交差偏波アンテナ素子（Ｐ＝２）をもつ４つの列（Ｎ＝４）を有し得る。
【００３９】
[0047]２Ｄアレイ構造の場合、垂直ビームフォーミングによって垂直次元を活用するために、ＣＳＩが基地局において必要である。ＣＳＩは、ＰＭＩ、ＲＩおよびＣＱＩの観点から、ダウンリンクチャネル推定および（１つまたは複数の）所定のＰＭＩコードブックに基づいて、モバイル局によって基地局にフィードバックされることができる。しかしながら、従来のＭＩＭＯシステムとは異なり、ＦＤ−ＭＩＭＯの能力があるｅＮＢは典型的に、大型のアンテナシステムが備わっており、ゆえに、ＵＥからのフルアレイＣＳＩの捕捉は、チャネル推定の複雑性と、過度のダウンリンクＣＳＩ−ＲＳオーバーヘッドおよびアップリンクＣＳＩフィードバックオーバヘッドの両方とにより極めて困難である。
【００４０】
[0048]ＦＤ−ＭＩＭＯを有するシステムにおけるＣＳＩ報告の場合、ＣＳＩプロセスは、クラスＡのプリコーディングされていないものとクラスＢのビームフォーミングされたもの、という２つのＣＳＩ報告クラスのうちのいずれかで構成され得る。図４Ａは、プリコーディングされていないＣＳＩ−ＲＳ４０１を送信する例となる基地局４００を例示するブロック図である。クラスＡのプリコーディングされていない報告では、ＣＳＩ−ＲＳポートの数が８、１２、または１６であり得る場合のチャネル測定に対して、ＣＳＩプロセスにつき１つの非ゼロ電力（ＮＺＰ）ＣＳＩ−ＲＳリソースが使用され得る。クラスＡの報告における干渉測定は、ＣＳＩプロセスにつき１つのＣＳＩ干渉測定（ＩＭ）リソースを含み得る。
【００４１】
[0049]基地局４００は、構造物４０内のＵＥ４０３および４０４およびＵＥ４０５および４０６にサービス提供し得る。２Ｄ ＣＳＩ−ＲＳポートは、プリコーディングされていないＣＳＩ−ＲＳ４０１およびＰＤＳＣＨ４０２をＵＥ４０３−４０６に送信する。ＣＳＩフィードバックを報告する際、ＵＥ４０３−４０６は、このプリコーディングされていないＣＳＩ−ＲＳを測定し、ＣＱＩ、プレコ−ディングマトリクスインジケータ（ＰＭＩ）（２Ｄコードブック）、およびランクインジケータを基地局４００に報告する。
【００４２】
[0050]図４Ｂは、ＣＳＩ−ＲＳリソース４０８−４１０を使用して、ビームフォーミングされたＣＳＩ−ＲＳを送信する例となる基地局４０７を例示するブロック図である。ＣＳＩ−ＲＳリソース４０８−４１０は、ＵＥ４１１および４１２を含むＵＥグループ４１５、および、構造物４１内のＵＥ４１３および４１４を含むＵＥグループ４１６のような異なるＵＥグループにサービス提供することを対象とし得る。ＣＳＩフィードバックを提供するとき、異なるＣＳＩ−ＲＳリソースが異なるＵＥグループに使用されるため、ＵＥ４１１−４１４は、ＣＱＩ、ＰＭＩ（１Ｄコードブック）、ランクインジケータだけでなく、Ｋ＞１である場合、ＵＥがＣＳＩ−ＲＳリソースのうちのどれを測定しており、それに対するチャネル状態情報（ＣＳＩ）フィードバックを提供しているかを基地局４０７に識別するＣＳＩ−ＲＳリソースインジケータ（ＣＲＩ）を報告する。
【００４３】
[0051]クラスＢのビームフォーミングされたＣＳＩ報告では、各ＣＳＩプロセスは、Ｋ個のＮＺＰ ＣＳＩ−ＲＳリソース／構成に関連付けられ得、ここで、Ｎｋ個のポートは、第ｋのＣＳＩ−ＲＳリソース（Ｋは１以上であり得る）に関し、Ｎｋは、１、２、４、または８であり得、ＣＳＩ−ＲＳリソースごとに異なり得る。各ＣＳＩ−ＲＳリソースはまた、例えば、アンテナ素子の異なるセットからまたは同じセットではあるが異なるビームフォーミング重みを有するアンテナ素子から仮想化される、異なるＣＳＩ−ＲＳポート仮想化を有し得る。各ＮＺＰ ＣＳＩ−ＲＳリソースへの１対１結合で、ＣＳＩプロセスにつき複数のＣＳＩ−ＩＭもまた可能である。
【００４４】
[0052]アンテナポートの数の増加により、ＣＳＩ報告のためのｅＮＢによるＣＳＩ−ＲＳの周期的な送信は、追加のポートを通した送信に追加のエネルギを使用する。クラスＡの報告の場合、ＣＳＩ報告のためのＣＳＩ−ＲＳポートの数は、リリース（Ｒｅｌ）−１４のような最新の規格リリースにしたがってシステムにおいて最大３２ポートまで拡張されるであろう。クラスＢの報告の場合、最大で８つのＣＳＩ−ＲＳリソースが、合計で最大６４個のＣＳＩ−ＲＳポートでのＣＳＩ報告のために構成されることができる。より多数のアンテナポートについての周期的なＣＳＩ測定はまた、ＵＥでの電力消費を大幅に増加させる。しかしながら、周期的なＣＳＩは、限られたフィードバック粒度によりチャネル状態のより粗いビューを提供する。ゆえに、差益（marginal gain）のみが、より多数のＣＳＩ−ＲＳポートに対処するためのＣＳＩ−ＲＳオーバーヘッドの大幅な増加と比較して、このより多数のＣＳＩ−ＲＳポートに基づいた周期的なＣＳＩから期待されることができる。例えば、ＣＳＩ−ＲＳポートの数を８から６４に増やすことは、５ｍｓのＣＳＩ−ＲＳに対してダウンリンクオーバヘッドの６．６７％の増加をもたらす。
【００４５】
[0053]クラスＢのビームフォーミングされたＣＳＩ−ＲＳのためのシステムロバストネスに関して別の問題が生じる。アンテナが多くなると、ＣＳＩ−ＲＳビームはより狭くなる。ゆえに、高速で動くＵＥの場合、ロバストなビーム追跡は、より困難になる。ビームフォーミングロバストネスを改善する１つの方法は、ＣＳＩ測定および報告のためにより多くのＣＳＩ−ＲＳリソース（例えば、Ｋ＞８）を構成することであり得る。しかしながら、この増加は、ＵＥ能力がＣＳＩプロセスにおけるＣＳＩ−ＲＳポートの総数を制限するため、すべてのＵＥによってサポートされることができるわけではない。
【００４６】
[0054]より多数のＣＳＩ−ＲＳポートの使用から生じるこの問題に対処するための様々なオプションが提案されている。第１のアプローチでは、ＣＳＩ−ＲＳリソースは、非周期的なＣＳＩ−ＲＳのためにプーリングされる。このようなＣＳＩ−ＲＳリソースのプーリングは、プーリングされたリソースを通して達成される複数のＵＥとの動的なＣＳＩ−ＲＳリソース共有を介してＣＳＩ−ＲＳオーバーヘッドを低減するのを助け得る。第２のアプローチでは、ＣＳＩ−ＲＳリソースが、周期的および非周期的なＣＳＩ報告のために個別に構成される。リソースのこの個別の構成は、セルにおいて送信すべきデータがないとき、ｅＮＢが、非周期的なＣＳＩに使用される電力増幅器をパワーダウンすることを可能にするため、エネルギ効率を高めることができる。これら２つのアプローチはまた、例えば、正確なＣＳＩを獲得するために、周期的なＣＳＩ報告のためのより少数のアンテナポートおよびより長い周期性での周期的なＣＳＩ−ＲＳリソースを、または、非周期的なＣＳＩ報告のためのより多数のアンテナポートでの非周期的なＣＳＩ−ＲＳ送信を割り当てるために、組み合わせられ得る。
【００４７】
[0055]非周期的なＣＳＩ報告のために非周期的なＣＳＩ−ＲＳを使用するという提案には複数の問題が生じる。第１に、非周期的なＣＳＩ−ＲＳの時間／周波数密度／ロケーション、ポート番号、送信電力を示すために追加のシグナリングが必要とされる。非周期的なＣＳＩトリガが非周期的なＣＳＩ−ＲＳ送信をトリガするために使用される場合、非周期的なＣＳＩ−ＲＳサブフレームは、非周期的なＣＳＩトリガと非周期的なＣＳＩ報告との間にのみ位置するであろう。しかしながら、非周期的なＣＳＩ報告のための測定されたＣＳＩ−ＲＳリソースは、ＣＳＩ処理複雑性を緩和するために、非周期的なＣＳＩのトリガより前に送信され得る。追加的に、この提案は、周期的なＣＳＩおよび非周期的なＣＳＩ報告が常にアンテナポートの同じセットおよびＣＳＩ−ＲＳリソースの同じセットを指すことを定める現在の協定に違反するであろう。ゆえに、周期的なＣＳＩ報告と非周期的なＣＳＩ報告との間でアンテナポートおよびＣＳＩ−ＲＳリソースを潜在的に変更することはまた、ＵＥ複雑性を増加させるであろう。
【００４８】
[0056]本開示の様々な態様は、ＣＳＩ報告のためのＣＳＩ−ＲＳリソースの動的な再構成を対象としている。複数のＣＳＩ−ＲＳリソースは、構成され、かつ、クラスＡのプリコーディングされていないＣＳＩ−ＲＳおよびクラスＢのビームフォーミングされたＣＳＩ−ＲＳの両方についてのＣＳＩ報告のためのＣＳＩプロセスに関連付けられ得る。ＣＳＩプロセスにおいて複数のリソース、例えば、Ｋ＞８、が可能であり得る。Ｎｋ＝１／２／４／８／１２／１６または最大で３２であり、ここで、Ｎｋは、ｋによって異なり得る。この構成はまた、時間／周波数ロケーション、スクランブリングＩＤ、等を含み得る。Ｋ個のリソースが構成されている間、アクティブにされたリソースのサブセット（例えば、Ｋ’≦Ｋ）だけが、ＣＳＩ測定および報告に使用され得る。例えば、プリコーディングされていないＣＳＩ−ＲＳの場合、Ｋ’は、１に等しくあり得、ここでは、１つのリソースだけが、ＣＳＩ報告のためにアクティブである。ビームフォーミングされたＣＳＩ−ＲＳの場合、Ｋ’は、８以下であり得る。このような態様では、周期的なＣＳＩ報告および非周期的なＣＳＩ報告の両方が、アクティブにされたＣＳＩ−ＲＳリソースの同じセットに基づく。
【００４９】
[0057]図５Ａおよび５Ｂは、本開示の一態様をインプリメントするために実行される例となるブロックを例示するブロック図である。図５Ａおよび５Ｂのブロックはまた、図７および８に関して説明される。図７は、本開示の一態様にしたがって構成されたｅＮＢ７００を例示するブロック図である。図８は、本開示の一態様にしたがって構成されたＵＥ８００を例示するブロック図である。ｅＮＢ７００は、ｅＮＢ１０５に関して図２において説明したハードウェア、構成要素、および特徴を含む様々なハードウェアおよび構成要素を含む。例えば、ｅＮＢ７００は、ｅＮＢ７００の動作環境および特徴をインプリメントするために、ハードウェアおよび構成要素を制御し、メモリ２４２に記憶されている論理を実行するコントローラ／プロセッサ２４０を含む。信号は、アンテナ２３４ａ−ｔおよびワイヤレス無線機７０１ａ−ｔを通して送信および受信される。ワイヤレス無線機７０１ａ−ｔは、変調器／復調器２３２ａ−ｔ、ＭＩＭＯ検出器２３６、受信プロセッサ２３８、ＴＸ ＭＩＭＯプロセッサ２３０、および送信プロセッサ２２０（図２）のような構成要素を含み得る。ＵＥ８００は、ＵＥ１１５に関して図２において説明したハードウェア、構成要素、および特徴を含む様々なハードウェアおよび構成要素を含む。例えば、ＵＥ８００は、ＵＥ８００の動作環境および特徴をインプリメントするために、ハードウェアおよび構成要素を制御し、メモリ２８２に記憶されている論理を実行するコントローラ／プロセッサ２８０を含む。信号は、アンテナ２５２ａ−ｒおよびワイヤレス無線機８０１ａ−ｒを通して送信および受信される。ワイヤレス無線機８０１ａ−ｒは、復調器／変調器２５４ａ−ｒ、ＭＩＭＯ検出器２５６、受信プロセッサ２５８、ＴＸ ＭＩＭＯプロセッサ２６６、および送信プロセッサ２６４のような構成要素を含み得る。図５Ａに例示されるブロックは、ｅＮＢ１０５および７００のような基地局によって実行され、図５Ｂに例示されるブロックは、ＵＥ１１５および８００のようなＵＥによって実行される。
【００５０】
[0058]ブロック５００において、ｅＮＢ７００のような基地局は、ＣＳＩプロセスに関連付けられた複数のＣＳＩ−ＲＳリソースの構成をシグナリングする。例えば、ｅＮＢ７００は、メモリ２４２中のＣＳＩ−ＲＳリソース７０２にアクセスすることでＣＳＩ−ＲＳリソースを構成する。ＣＳＩ−ＲＳリソース７０２は、特定のＣＳＩプロセスのために構成される。構成情報は、ワイヤレス無線機７０１ａ−ｔおよびアンテナ２３４ａ−ｔを通して、コントローラ／プロセッサ２４０の制御下で、ｅＮＢ７００によって送信される。構成パラメータは、ｅＮＢ７００から送信されたＣＳＩ−ＲＳを検出するためにＵＥによって使用されることとなる、時間／周波数ロケーション、スクランブリング識別子（ＩＤ）、アンテナポートの数、等のような情報をさらに含み得る。
【００５１】
[0059]ブロック５０１において、ＵＥ８００のようなＵＥは、構成され、かつ、ＣＳＩプロセスに関連付けられた複数のＣＳＩ−ＲＳリソースの識別情報を受信する。例えば、ＵＥ８００は、構成され、かつ、ＣＳＩプロセスに関連付けられたＣＳＩ−ＲＳリソースのすべてを識別する構成情報をアンテナ２５２ａ−ｒおよびワイヤレス無線機８０１ａ−ｒを介して受信する。ＵＥ８００は、ＣＳＩ−ＲＳリソース構成を、メモリ２８２中の構成されたＣＳＩ−ＲＳリソース８０４に記憶するであろう。
【００５２】
[0060]ブロック５０２において、ｅＮＢ７００のような基地局は、アクティベーションのための、構成されたＣＳＩ−ＲＳリソースのサブセットを選択する。例えば、ｅＮＢ７００は、コントローラ／プロセッサ２４０の制御下で、アクティベーションのための、構成されたＣＳＩ−ＲＳリソースのサブセットを識別する、メモリ２４２に記憶されているサブセット選択制御７０３を実行する。選択されたサブセットは、ＣＳＩプロセスのために構成されているＣＳＩ−ＲＳリソースの総数より少ない。一態様では、例えば、クラスＡのプリコーディングされていないＣＳＩ−ＲＳのＣＳＩ報告の場合、選択されたサブセットは、単一のＣＳＩ−ＲＳリソースを含み得る。別の態様では、例えば、クラスＢのビームフォーミングされたＣＳＩ−ＲＳのＣＳＩ報告の場合、選択されたサブセットは、１つまたは複数のＣＳＩ−ＲＳリソースを、最大でＣＳＩ−ＲＳリソースの総数より少ない数まで含み得る。
【００５３】
[0061]ブロック５０３において、ｅＮＢ７００のような基地局は、アクティベーションのために選択されたＣＳＩ−ＲＳリソースのサブセットを識別する構成信号を送信する。例えば、ｅＮＢ７００は、ワイヤレス無線機７０１ａ−ｔおよびアンテナ２３４ａ−ｔを使用してアクティベーション／非アクティベーションビットマップ信号のような構成を送信する。
【００５４】
[0062]ブロック５０４において、ＵＥ８００のようなＵＥは、ＣＳＩ測定および報告のためにアクティブにされたＣＳＩ−ＲＳリソースのサブセットを識別する構成信号を受信する。例えば、ＵＥ８００は、アンテナ２５２ａ−ｒおよびワイヤレス無線機８０１ａ−ｒを介して構成信号を受信する。次いで、構成信号は、メモリ２８２中のアクティブにされたＣＳＩ−ＲＳリソース８０５に記憶される。
【００５５】
[0063]ブロック５０５において、ｅＮＢ７００のような基地局は、構成信号において識別されるアクティブにされたＣＳＩ−ＲＳリソース上でＣＳＩ−ＲＳを送信する。例えば、コントローラ／プロセッサ２４０の制御下で、ｅＮＢ７００は、ワイヤレス無線機７０１ａ−ｔおよびアンテナ２３４ａ−ｔを通した送信のためのＣＳＩ−ＲＳを生成するために、メモリ２４２に記憶されている、ＣＳＩ−ＲＳジェネレータ７０５を実行する。
【００５６】
[0064]ブロック５０６において、ＵＥ８００のようなＵＥは、アクティブにされたと示されるＣＳＩ−ＲＳリソースのサブセットに関連付けられたチャネル状態を測定する。例えば、ＵＥ８００はまた、上位レイヤシグナリングを介してｅＮＢ７００からＣＳＩ−ＲＳに関する構成パラメータを受信し、これらパラメータをメモリ２８２のＣＳＩ−ＲＳ構成８０６に記憶し得る。構成パラメータを使用することで、ＵＥ８００は、アクティブにされたＣＳＩ−ＲＳリソース上で送信されるＣＳＩ−ＲＳを検出するために、コントローラ／プロセッサ２８０の制御下で、ワイヤレス無線機８０１ａ−ｒを、構成パラメータにおいて示される好適なタイミングおよび周波数にチューニングする。ＵＥ８００は、ＣＳＩ−ＲＳのチャネル品質および状態を測定するために測定論理８０２を実行する。
【００５７】
[0065]ブロック５０７において、ＵＥ８００のようなＵＥは、測定されたチャネル状態に基づいてＣＳＩを報告する。例えば、ＵＥ８００は、測定論理８０２の実行からの測定結果を使用し、コントローラ／プロセッサ２８０の制御下で、メモリ２８２に記憶されているＣＳＩ報告ジェネレータ８０３を実行する。ＵＥ８００は、ワイヤレス無線機８０１ａ−ｒおよびアンテナ２５２ａ−ｒを使用してＣＳＩ報告をｅＮＢ７００に送信する。
【００５８】
[0066]ブロック５０８において、ｅＮＢ７００のような基地局は、ｅＮＢ７００によってサービス提供されるＵＥのうちの１つまたは複数からＣＳＩ報告を受信する。例えば、ｅＮＢ７００は、アンテナ２３４ａ−ｔおよびワイヤレス無線機７０１ａ−ｔを通してＣＳＩ報告を受信する。次いで、ｅＮＢ７００は、関連するＵＥとの接続を管理するためにＣＳＩ報告を使用し得る。
【００５９】
[0067]図５Ａおよび５Ｂに関連して説明したように、本開示の態様は、ＣＳＩ−ＲＳリソースのアクティベーション／非アクティベーションのシグナリングを提供する。アクティベーション／非アクティベーションは、媒体アクセス制御（ＭＡＣ）制御要素（ＣＥ）を用いて実行され得る。例えば、ブロック５０３および５０４において構成信号を送信および受信するとき、ＭＡＣ ＣＥは、このＭＡＣ ＣＥ中のｋビットの長さのビットマップによって示されるように１つまたは複数のＮＺＰ ＣＳＩ−ＲＳリソースをアクティブまたは非アクティブにするために使用され得る。アクティブにされている場合、結果として得られたＣＳＩ−ＲＳ送信は、時間／周波数ロケーション、ポート番号、等、上位レイヤ上に構成されたパラメータに基づき得る。次いで、ＵＥは、既存のプロシージャおよび要件にしたがって、すべてのアクティブなＣＳＩ−ＲＳリソースに対して測定を実行し得る。ＵＥは、サブフレームｎでのＭＡＣアクティベーション／非アクティベーションＣＥの受信に続いて、サブフレームｎ＋８から始めて最後にアクティブにされたＣＳＩ−ＲＳリソースの測定値に基づいてＣＳＩを報告し始め得る。追加のサブフレームをＣＳＩの報告開始前に設けることは、ＣＳＩ−ＲＳが新たにアクティブにされたＣＳＩ−ＲＳリソースについて送信される機会を可能にする。
【００６０】
[0068]ＣＳＩ報告のための最後にアクティブにされたＣＳＩ−ＲＳリソースに対して有効なＣＱＩがいずれも利用可能でないとき、ＵＥが固定（範囲外）の値を報告し得ることは留意されるべきである。例えば、次のＣＳＩ報告サブフレームの前に、アクティブにされたＣＳＩ−ＲＳリソースのためのＣＳＩ−ＲＳ送信インスタンスが存在しないとき、ＵＥは、ＣＱＩ報告が実際の測定値に関連付けられていないことを示すこの固定値を報告し得る。
【００６１】
[0069]本開示の代替の態様はまた、自動の非アクティベーションタイマを使用したＣＳＩ−ＲＳリソースの非アクティベーションを提供する。図７および８を参照して、ｅＮＢ７００は、タイマ７０４を含み、ＵＥ８００は、タイマ８０７を含み、それらは、ＣＳＩ−ＲＳリソースのサブセットを識別する構成信号の送信および受信に応じてトリガされる。タイマが満了すると、ｅＮＢ７００およびＵＥ８００は、対応するＣＳＩ−ＲＳリソースの非アクティベーションを想定する。１つの例となるインプリメンテーションでは、そのようなタイマは、タイマの長さを「無限」という値に設定することで事実上（effectively）ディセーブルにされ得る。ＣＳＩ−ＲＳリソースが非アクティブにされるかまたは構成されるがアクティブにされないとき、関連するＣＳＩ−ＲＳリソースは、ＰＤＳＣＨ送信のために解放され得る。ＵＥは、非アクティブにされたＣＳＩ−ＲＳについてＣＳＩ測定値を実行することが必要とされないであろう。
【００６２】
[0070]ＣＳＩプロセスごとに、少なくとも１つのＣＳＩ−ＲＳリソースは、ＭＡＣ ＣＥまたは所定のルールのいずれかに基づいて、ＣＳＩ報告のためにアクティブにされ得る。例えば、最小インデックスを有するＣＳＩ−ＲＳリソースは、第１のＭＡＣアクティベーションＣＥを受信する前にアクティブにされるか、または、アクティブにされたＣＳＩ−ＲＳリソースが存在しないときには、ＭＡＣアクティベーション／非アクティベーションＣＥによってアクティブにされると想定され得る。ＮＺＰ ＣＳＩ−ＲＳリソースがアクティブにされる場合、干渉測定のために、関連するＣＳＩ−ＩＭリソースもアクティブにされるであろう。
【００６３】
[0071]図６Ａは、本開示の態様にしたがって構成された基地局６０１とＵＥ６０２との間の通信の送信ストリーム６０を例示するブロック図である。基地局６０１は、ｅＮＢ１０５および７００に関連して例示されたものと同様のハードウェア、構成要素、および特徴を含み得る。追加的に、ＵＥ６０２は、ＵＥ１１５および８００に関連して例示されたものと同様のハードウェア、構成要素、および特徴を含み得る。２つのＣＳＩ−ＲＳリソース、ＮＺＰ ＣＳＩ−ＲＳリソース＃１およびＮＺＰ ＣＳＩ−ＲＳリソース＃２がＣＳＩ報告のために構成される。ＣＳＩ−ＲＳリソースがアクティブであるかどうかに依存して、基地局６０１は、ＣＳＩフィードバックのためのＣＳＩ−ＲＳを送信するであろう。例えば、サブフレーム０において、基地局６０１は、ＮＺＰ ＣＳＩ−ＲＳリソース＃１のためのＮＺＰ ＣＳＩ−ＲＳを送信する。ＵＥ６０２は、このＣＳＩ−ＲＳを測定し、サブフレーム４において、ＮＺＰ ＣＳＩ−ＲＳ＃１についてのＣＳＩを報告する。上位レイヤシグナリングを介してＵＥ６０２にシグナリングされる、ＮＺＰ ＣＳＩ−ＲＳリソース＃１のＣＳＩ−ＲＳのための５ｍｓの周期性に基づいて、基地局６０１は、サブフレーム５においてＮＺＰ ＣＳＩ−ＲＳリソース＃１のための別のＣＳＩ−ＲＳを送信し、アクティブとなるであろう次の１つまたは複数のＣＳＩ−ＲＳリソースを識別するために、アクティベーション／非アクティベーションＭＡＣ ＣＥ６００もＵＥ６０２に送信する。アクティベーション／非アクティベーションＭＡＣ ＣＥ６００は、ＮＺＰ ＣＳＩ−ＲＳリソース＃１が非アクティブにされ、ＮＺＰ ＣＳＩ−ＲＳリソース＃２がアクティブにされることを規定する。
【００６４】
[0072]サブフレーム５でのＵＥ６０２によるアクティベーション／非アクティベーションＭＡＣ ＣＥ６００の受信に続いて、基地局６０１は、ＮＺＰ ＣＳＩ−ＲＳリソース＃１のためのＣＳＩ−ＲＳの送信を止め、サブフレーム１０においてＮＺＰ ＣＳＩ−ＲＳリソース＃２のためのＣＳＩ−ＲＳの送信を開始する。基地局６０１は、上位レイヤシグナリングによって構成されたような周期性およびオフセット（例えば、図６Ａの例示されている例において提供されるような、１０ｍｓの周期性および０のサブフレームオフセット）でＣＳＩ−ＲＳを送信するであろう。ＵＥ６０２は、サブフレーム１４においてＮＺＰ ＣＳＩ−ＲＳリソース＃２のためのＣＳＩ−ＲＳの測定値に基づいてＣＳＩ報告を開始するであろう。
【００６５】
[0073]別の動作の例では、アクティベーション／非アクティベーションＭＡＣ ＣＥ６００の後、ＮＺＰ ＣＳＩ−ＲＳリソース＃２のための第１のＣＳＩ−ＲＳが、サブフレーム１４における第１のＣＱＩ報告機会の後に開始する場合、ＵＥ６０２が、サブフレーム１４でのＣＳＩ報告に固定の範囲外の値を含めるであろうことは留意されるべきである。基地局６０１は、ＣＱＩがＣＳＩ−ＲＳの測定値に基づいていないことを示すインジケーションとしてＵＥ６０２からのＣＳＩ報告中の範囲外の値を認識するであろう。
【００６６】
[0074]図６Ｂは、本開示の態様にしたがって構成された、基地局６０１とＵＥ６０２との間の通信の送信ストリーム６１を例示するブロック図である。送信ストリーム６１は、図６Ａにおいて識別された通信を含み、基地局６０１とＵＥ６０２との間の通信の追加のサブフレームも含む。追加的に、図６Ｂに例示されるように、基地局６０１およびＵＥ６０２は、非アクティベーションタイマを使用して動作する。基地局６０１およびＵＥ６０２内に非アクティベーションタイマがあるとき、基地局６０１は、アクティベーション／非アクティベーションＭＡＣ ＣＥ６００の送信に応じて非アクティベーションタイマを開始し、ＵＥ６０２は、アクティベーション／非アクティベーションＭＡＣ ＣＥ６００を受信すると、非アクティベーションタイマを開始する。非アクティベーションタイマは、サブフレーム２５において満了するように構成される。非アクティベーションタイマの満了の時６０３、基地局６０１は、ＮＺＰ ＣＳＩ−ＲＳリソース＃２が非アクティブにされるため、ＮＺＰ ＣＳＩ−ＲＳリソース＃２のためのＣＳＩ−ＲＳの送信を停止する。非アクティベーションタイマが満了する前に他のアクティベーション／非アクティベーションＭＡＣ ＣＥがいずれも送信されない場合、基地局６０１およびＵＥ６０２は、次のアクティブにされるＮＺＰ ＣＳＩ−ＲＳリソースを決定するために、所定のルールを使用するであろう。例えば、すべてのＣＳＩ−ＲＳリソースが非アクティブにされるとき、基地局６０１は、ＣＳＩ−ＲＳ送信のための最小インデックスを有するＣＳＩ−ＲＳリソースを選択し得る。例示される例では、基地局６０１は、ＮＺＰ ＣＳＩ−ＲＳリソース＃２のためのＣＳＩ−ＲＳを停止し、ＣＳＩ−ＲＳ送信のためのＮＺＰ ＣＳＩ−ＲＳリソース＃１を選択するであろう。ゆえに、基地局６０１は、サブフレーム２６において、ＮＺＰ ＣＳＩ−ＲＳリソース＃１のためのＣＳＩ−ＲＳの送信を開始するであろう。ＵＥ６０２は、サブフレーム２６において送信されたＮＺＰ ＣＳＩ−ＲＳリソース＃１のためのＣＳＩ−ＲＳを測定し、サブフレーム３０において、結果として得られたＣＳＩを報告する。
【００６７】
[0075]本開示の追加の態様は、動的なＣＳＩ−ＲＳリソースを用いて、クラスＡのプリコーディングされていないＣＳＩ−ＲＳのためにＣＳＩ報告を提供する。構成されたＣＳＩ−ＲＳリソースのうちの１つだけが、クラスＡのＣＳＩ報告のためにアクティブにされる。１つの例となる態様では、Ｋ＝４である。しかしながら、選択された構成されたリソースのサブセットは、クラスＡのプリコーディングされていないＣＳＩ−ＲＳについて、１として識別される、すなわち、Ｋ’＝１である。異なるＮｋにより、ＰＵＣＣＨ上でのＣＳＩフィードバックのためのＣＳＩ報告タイプおよびＣＱＩ／ＰＭＩ／ＲＩペイロードは、アクティブにされたＣＳＩ−ＲＳリソースのＮｋによって決定され得る。
【００６８】
[0076]本開示の追加の態様はまた、動的なＣＳＩ−ＲＳリソースを用いて、クラスＢのビームフォーミングされたＣＳＩ−ＲＳのためにＣＳＩ報告を提供する。ＣＳＩ−ＲＳリソースインジケータ（ＣＲＩ）の報告はまた、様々なオプションのうちの１つによって決定されたビット幅で構成され得る。第１のオプションでは、ビット幅は、ＣＳＩプロセスにおけるＣＳＩ−ＲＳ構成済みリソースの数、Ｋに対応し得る。別のオプションでは、ビット幅は、Ｋとは対照的に、アクティブにされたＣＳＩ−ＲＳリソースの数、例えば、Ｋ’、に対応し得る。
【００６９】
[0077]周期的なＣＳＩ報告の場合、ＣＲＩは、所定のルールにしたがって同じサブフレームにおいてＲＩとともに報告され得る。例えば、一態様では、すべてのアクティブにされたＣＳＩ−ＲＳリソースのＮｋが同じである場合、ＲＩおよびＣＲＩは、ＮｋおよびＰＵＣＣＨ報告モードに基づいて、以下のタイプのうちの１つを使用して共同で（jointly）報告される：共同で報告されるＣＲＩおよびＲＩ、共同で報告されるＣＲＩ、ＲＩ、および長期間／広帯域コードブック（Ｗ１）、および、共同で報告されるＣＲＩ、ＲＩ、およびプリコーディングタイプインジケータ（ＰＴＩ）。アクティブにされたＣＳＩ−ＲＳリソースのすべてが同じＮｋを有するわけではない場合、ＣＲＩおよびＲＩは、ＮｋおよびＰＵＣＣＨ報告モードから独立して、共同で報告され得る。そのような態様では、ＲＩのビット幅は、すべてのアクティブにされたＣＳＩ−ＲＳリソースのｍａｘ（Ｎｋ）を使用して決定され得る。
【００７０】
[0078]非周期的ＣＳＩ報告の場合、ＣＲＩは、ＲＩ、ＰＭＩ、およびＣＱＩとともに、同じサブフレームにおいて報告され得る。アクティブにされたＣＳＩ−ＲＳリソースのすべてに対してＮｋ＝１である場合、ＰＩおよびＰＭＩ報告は省略され得る。それ以外の場合、ＣＲＩおよびＲＩは、すべてのアクティブにされたＣＳＩ−ＲＳリソースのｍａｘ（Ｎｋ）を使用して決定されるＲＩのビット幅と共同で符号化され得る。
【００７１】
[0079]当業者は、情報および信号が、多種多様な技術および技法のうちの任意のものを使用して表され得ることを理解するであろう。例えば、上の説明全体にわたって参照され得るデータ、命令、コマンド、情報、信号、ビット、シンボル、およびチップは、電圧、電流、電磁波、磁場または磁性粒子、光場または光粒子、またはこれらの任意の組み合わせによって表され得る。
【００７２】
[0080]本明細書で説明した機能ブロックおよびモジュールは、プロセッサ、電子デバイス、ハードウェアデバイス、電子構成要素、論理回路、メモリ、ソフトウェアコード、ファームウェアコード、等、またはそれらの任意の組合せを備え得る。
【００７３】
[0081]本開示は、プログラムコードを記憶している非一時的なコンピュータ読取可能な媒体のような第１の態様を備え、プログラムコードは、以下を備える：
構成され、かつ、チャネル状態情報（ＣＳＩ）報告のためのＣＳＩプロセスに関連付けられた複数のＣＳＩ−基準信号（ＣＳＩ−ＲＳ）リソースの識別情報を受信することをコンピュータに行わせるための、コンピュータによって実行可能なプログラムコードと、
ＣＳＩ測定および報告のためにアクティブにされる、複数のＣＳＩ−ＲＳリソースのうちのＣＳＩ−ＲＳリソースのサブセットを識別する構成信号を受信することをコンピュータに行わせるための、コンピュータによって実行可能なプログラムコードと、ここにおいて、複数のＣＳＩ−ＲＳリソースのうちのサブセットは、複数のＣＳＩ−ＲＳリソースより少ない数のＣＳＩ−ＲＳリソースを含み、
ＣＳＩ−ＲＳリソースのサブセットに基づいてＣＳＩ報告を送信することをコンピュータに行わせるための、コンピュータによって実行可能なプログラムコード。
【００７４】
[0082]第１の態様に基づいて、第２の態様の非一時的なコンピュータ読取可能な媒体、ここにおいて、複数のＣＳＩ−ＲＳリソースの識別情報は、複数のＣＳＩ−ＲＳリソースの各々について、周期性、オフセット、スクランブリング識別子（ＩＤ）、およびアンテナポートの数のうちの少なくとも１つ、の識別情報を含む。
【００７５】
[0083]第１の態様に基づいて、第３の態様の非一時的なコンピュータ読取可能な媒体、ここにおいて、ＣＳＩ−ＲＳリソースのサブセットは、単一のＣＳＩ−ＲＳリソースを含む。
【００７６】
[0084]第１の態様に基づいて、第４の態様の非一時的なコンピュータ読取可能な媒体は、以下をさらに含む：
構成信号を受信してから最初のＮ個のサブフレーム（an earliest N subframes）においてアクティブにされたと示されるＣＳＩ−ＲＳリソースのサブセットに関連付けられたＣＳＩ−ＲＳを受信することをコンピュータに行わせるための、コンピュータによって実行可能なプログラムコードと、ここで、Ｎの値は、上位レイヤシグナリングによって構成され、
アクティブにされたと示されるＣＳＩ−ＲＳリソースのサブセットに関連付けられたチャネル状態を測定することをコンピュータに行わせるための、コンピュータによって実行可能なプログラムコードと、
測定されたチャネル状態を使用してＣＳＩ報告を生成することをコンピュータに行わせるための、コンピュータによって実行可能なプログラムコード。
【００７７】
[0085]第４の態様に基づいて、第５の態様の非一時的なコンピュータ読取可能な媒体、ここにおいて、Ｎの値は、４または８のうちの１つであり、条件のセットにしたがって選択され、条件のセットは、複数のＣＳＩ−ＲＳリソースのＣＳＩ−ＲＳの各々に関連付けられたアンテナポートの総数が等しいことまたはＣＳＩ−ＲＳリソースのサブセットのサイズが固定であることのうちの１つを含む。
【００７８】
[0086]第１の態様に基づいて、第６の態様の非一時的なコンピュータ読取可能な媒体は、以下をさらに含む：
ＣＳＩ報告機会の前にＣＳＩ−ＲＳリソースのサブセットに関連付けられたＣＳＩ−ＲＳ送信を検出しないことをコンピュータに行わせるための、コンピュータによって実行可能なプログラムコードと、
ＣＳＩ−ＲＳ送信を検出しなかったことに関連付けられた固定値を使用してＣＳＩ報告を生成することをコンピュータに行わせるための、コンピュータによって実行可能なプログラムコード。
【００７９】
[0087]第１の態様に基づいて、第７の態様の非一時的なコンピュータ読取可能な媒体、ここにおいて、構成信号は、非アクティブにされる複数のＣＳＩ−ＲＳリソースの各々およびＣＳＩ−ＲＳリソースのサブセットの複数のＣＳＩ−ＲＳリソースの各々を識別する媒体アクセス制御（ＭＡＣ）制御要素を含む。
【００８０】
[0088]第７の態様に基づいて、第８の態様の非一時的なコンピュータ読取可能な媒体、ここにおいて、ＭＡＣ制御要素は、Ｋビットのアクティベーションビットマップを含み、ここで、Ｋは、複数のＣＳＩ−ＲＳリソースの総数を表し、Ｋビットのアクティベーションビットマップは、非アクティブにされる複数のＣＳＩ−ＲＳリソースの各々およびＣＳＩ−ＲＳリソースのサブセット複数のＣＳＩ−ＲＳリソースの各々を識別する。
【００８１】
[0089]第８の態様に基づいて、第９の態様の非一時的なコンピュータ読取可能な媒体は、以下をさらに含む：
構成信号の受信に応答して非アクティベーションタイマを開始することをコンピュータに行わせるための、コンピュータによって実行可能なプログラムコード、ここにおいて、非アクティベーションタイマは、ＣＳＩ−ＲＳリソースのサブセットの非アクティベーションまで時間をカウントする。
【００８２】
[0090]第９の態様に基づいて、第１０の態様の非一時的なコンピュータ読取可能な媒体は、以下をさらに含む：
非アクティベーションタイマの満了に応答してＣＳＩ−ＲＳリソースのサブセットを非アクティブにすることをコンピュータに行わせるための、コンピュータによって実行可能なプログラムコードと、
ダウンリンク共有送信のために、非アクティブにされたＣＳＩ−ＲＳリソースのサブセットのうちの１つまたは複数を再度割り当てることをコンピュータに行わせるための、コンピュータによって実行可能なプログラムコード。
【００８３】
[0091]第１の態様に基づいて、第１１の態様の非一時的なコンピュータ読取可能な媒体は、以下をさらに含む：
ＣＳＩ報告機会に到達することをコンピュータに行わせるための、コンピュータによって実行可能なプログラムコードと、
複数のＣＳＩ−ＲＳリソースがいずれもアクティブにされたと示されていないことを識別することをコンピュータに行わせるための、コンピュータによって実行可能なプログラムコードと、
所定のルールに基づいて、複数のＣＳＩ−ＲＳリソースのうちの少なくとも１つがアクティブにされると決定することをコンピュータに行わせるための、コンピュータによって実行可能なプログラムコードと、
複数のＣＳＩ−ＲＳリソースのうちの少なくとも１つに関連付けられたチャネル状態を測定することをコンピュータに行わせるための、コンピュータによって実行可能なプログラムコードと、
測定されたチャネル状態を使用してＣＳＩ報告を生成することをコンピュータに行わせるための、コンピュータによって実行可能なプログラムコード。
【００８４】
[0092]第１０の態様に基づいて、第１２の態様の非一時的なコンピュータ読取可能な媒体、ここにおいて、識別することをコンピュータに行わせるための、コンピュータによって実行可能なプログラムコードは、以下のうちの１つを含む：
ＣＳＩ報告機会に到達するための手段の前に構成信号の第１のものを受信しないことをコンピュータに行わせるための、コンピュータによって実行可能なプログラムコード、
複数のＣＳＩ−ＲＳリソースのいずれもがアクティブにされたと示されていない状態で、構成信号を受信することをコンピュータに行わせるための、コンピュータによって実行可能なプログラムコード、または
ＣＳＩ−ＲＳリソースのサブセットについて非アクティベーションタイマの満了を検出することをコンピュータに行わせるための、コンピュータによって実行可能なプログラムコード。
【００８５】
[0093]第１１の態様に基づいて、第１３の態様の非一時的なコンピュータ読取可能な媒体、ここにおいて、所定のルールは、次のうちの１つを含む：
複数のＣＳＩ−ＲＳリソースのうちの第１のＣＳＩ−ＲＳリソースが最小インデックスを有すること、または
ＣＳＩ−ＲＳリソースのサブセットの第２のＣＳＩ−ＲＳリソースがＣＳＩ−ＲＳリソースのサブセットの最小インデックスを有すること。
【００８６】
[0094]第１の態様に基づいて、第１４の態様の非一時的なコンピュータ読取可能な媒体、ここにおいて、ＣＳＩ報告タイプは、プリコーディングされていないＣＳＩ−ＲＳリソースに関し、ＣＳＩ−ＲＳリソースのサブセットは、単一のＣＳＩ−ＲＳリソースを含み、非一時的なコンピュータ読取可能な媒体は、以下をさらに含む：
ＣＳＩ−ＲＳリソースのサブセットに関連付けられたアンテナポートの数に基づいてＣＳＩペイロードを決定することをコンピュータに行わせるための、コンピュータによって実行可能なプログラムコード。
【００８７】
[0095]第１の態様に基づいて、第１５の態様の非一時的なコンピュータ読取可能な媒体、ＣＳＩ報告タイプは、ビームフォーミングされたＣＳＩ−ＲＳリソースに関し、ＣＳＩ−ＲＳリソースのサブセットの数は、１より大きく、非一時的なコンピュータ読取可能な媒体は、以下をさらに含む：
複数のＣＳＩ−ＲＳリソースの数、または
ＣＳＩ−ＲＳリソースのサブセットの数
のうちの１つに基づいてＣＳＩ−ＲＳリソースインジケータ（ＣＲＩ）を報告するためのビット幅を決定することをコンピュータに行わせるための、コンピュータによって実行可能なプログラムコード。
【００８８】
[0096]第１５の態様に基づいて、第１６の態様の非一時的なコンピュータ読取可能な媒体は、以下をさらに含む：
周期的なＣＳＩ報告のための、ＣＳＩ−ＲＳリソースのサブセットのＣＳＩ−ＲＳリソースの各々に関連付けられたアンテナポートの総数を決定することをコンピュータに行わせるための、コンピュータによって実行可能なプログラムコードと、
ＣＳＩ−ＲＳリソースのサブセットのＣＳＩ−ＲＳリソースの各々に関連付けられたアンテナポートの総数が等しいことに応答して実行可能なプログラムコードであって、次のうちの１つの実行を選択することをコンピュータに行わせるための、コンピュータによって実行可能なプログラムコードと：
ＣＲＩおよびランクインジケータを、同じサブフレームにおいて共同で報告することをコンピュータに行わせるための、コンピュータによって実行可能なプログラムコード、
ＣＲＩ、ランクインジケータ、および広帯域コードブックを、同じサブフレームにおいて共同で報告することをコンピュータに行わせるための、コンピュータによって実行可能なプログラムコード、または、
ＣＲＩ、ランクインジケータ、およびプリコーディングタイプインジケータを、同じサブフレームにおいて共同で報告することをコンピュータに行わせるための、コンピュータによって実行可能なプログラムコード、
ここにおいて、選択することをコンピュータに行わせるための、コンピュータによって実行可能なプログラムコードは、周期的なＣＳＩ報告モードに基づき、
ＣＳＩ−ＲＳリソースのサブセットのＣＳＩ−ＲＳリソースの各々に関連付けられたアンテナポートの総数が異なることに応答して実行可能なプログラムコードであって、ＣＲＩおよびランクインジケータを、同じサブフレームにおいて共同で報告することをコンピュータに行わせるための、コンピュータによって実行可能なプログラムコード。
【００８９】
[0097]第１６の態様に基づいて、第１７の態様の非一時的なコンピュータ読取可能な媒体、ランクインジケータのビット幅は、ＣＳＩ−ＲＳリソースのサブセットのＣＳＩ−ＲＳリソースの各々に関連付けられた総数のアンテナポートうちのアンテナポートの最大数に基づいて決定される。
【００９０】
[0098]第１５の態様に基づいて、第１８の態様の非一時的なコンピュータ読取可能な媒体は、以下をさらに含む：
非周期的なＣＳＩ報告のための、ＣＳＩ−ＲＳリソースのサブセットのＣＳＩ−ＲＳリソースの各々に関連付けられたアンテナポートの総数を決定することをコンピュータに行わせるための、コンピュータによって実行可能なプログラムコードと、
ＣＳＩ−ＲＳリソースのサブセットのＣＳＩ−ＲＳリソースの各々に関連付けられたアンテナポートの総数が１に等しいことに応答して実行可能なプログラムコードであって、ＣＲＩをチャネル品質インジケータ（ＣＱＩ）とともに同じサブフレームにおいて共同で報告することをコンピュータに行わせるための、コンピュータによって実行可能なプログラムコードと、
ＣＳＩ−ＲＳリソースのサブセットのＣＳＩ−ＲＳリソースの各々に関連付けられたアンテナポートの総数が１より大きいことに応答して実行可能なプログラムコードであって、ＣＲＩおよびＣＱＩをランクインジケータおよびプリコーディングマトリックスインジケータとともに同じサブフレームにおいて共同で報告することをコンピュータに行わせるための、コンピュータによって実行可能なプログラムコード。
【００９１】
[0099]第１８の態様に基づいて、第１９の態様の非一時的なコンピュータ読取可能な媒体、ここにおいて、ランクインジケータのビット幅は、ＣＳＩ−ＲＳリソースのサブセットのＣＳＩ−ＲＳリソースの各々に関連付けられた総数のアンテナポートうちのアンテナポートの最大数に基づいて決定される。
【００９２】
[00100]請求項第１から１９の任意の組合せの非一時的なコンピュータ読取可能な媒体。
【００９３】
[00101]当業者はさらに、本明細書での開示に関連して説明された様々な実例となる論理ブロック、モジュール、回路、およびアルゴリズムステップが、電子ハードウェア、コンピュータソフトウェア、または両方の組合せとしてインプリメントされ得ることを認識するであろう。このハードウェアとソフトウェアのこの互換性を明確に例示するために、様々な実例となる構成要素、ブロック、モジュール、回路、およびステップが、それらの機能性の観点から概して上に説明されている。このような機能性がハードウェアとしてインプリメントされるかソフトウェアとしてインプリメントされるかは、特定の用途とシステム全体に課せられる設計制約とに依存する。当業者は、説明した機能性を特定の用途ごとに様々な方法でインプリメントし得るが、このようなインプリメンテーションの決定は、本開示の範囲からの逸脱をさせるものとして解釈されるべきでない。当業者はまた、本明細書で説明された構成要素、方法、またはインタラクションの順序または組合せが単なる例であること、および、本開示の様々な態様の構成要素、方法、またはインタラクションが、本明細書に例示および説明されたもの以外の方法で組み合わされ得るかまたは実行され得ることを容易に認識するであろう。
【００９４】
[00102]本明細書での開示に関連して説明された様々な実例となる論理ブロック、モジュール、および回路は、汎用プロセッサ、デジタルシグナルプロセッサ（ＤＳＰ）、特定用途向け集積回路（ＡＳＩＣ）、フィールドプログラマブルゲートアレイ（ＦＰＧＡ）または他のプログラマブル論理デバイス、ディスクリートゲートまたはトランジスタ論理、ディスクリートハードウェア構成要素、あるいは本明細書に説明された機能を実行するように設計されたそれらの任意の組合せを用いてインプリメントまたは実行され得る。汎用プロセッサは、マイクロプロセッサであり得るが、代替として、プロセッサは、任意の従来のプロセッサ、コントローラ、マイクロコントローラ、またはステートマシンであり得る。プロセッサはまた、複数のコンピューティングデバイスの組合せ、例えば、ＤＳＰと、１つのマイクロプロセッサ、複数のマイクロプロセッサ、ＤＳＰコアに連結した１つまたは複数のマイクロプロセッサ、または任意の他のそのような構成との組合せとしてインプリメントされ得る。
【００９５】
[00103]本明細書での開示に関連して説明されたアルゴリズムまたは方法のステップは、直接的にハードウェアにおいて、プロセッサによって実行されるソフトウェアモジュールにおいて、またはそれら２つの組合せにおいて具現化され得る。ソフトウェアモジュールは、ＲＡＭメモリ、フラッシュメモリ、ＲＯＭメモリ、ＥＰＲＯＭメモリ、ＥＥＰＲＯＭ（登録商標）メモリ、レジスタ、ハードディスク、リムーバブルディスク、ＣＤ−ＲＯＭ、または当技術分野において知られている任意の他の形の記憶媒体内に存在し得る。例示的な記憶媒体は、プロセッサがこの記憶媒体から情報を読み取ることおよびそれに情報を書き込むことができるように、プロセッサに結合される。代替として、記憶媒体は、プロセッサと一体化され得る。プロセッサおよび記憶媒体は、ＡＳＩＣ内に存在し得る。ＡＳＩＣは、ユーザ端末内に存在し得る。代替として、プロセッサおよび記憶媒体は、ユーザ端末において別々の構成要素として存在し得る。
【００９６】
[00104]１つまたは複数の例示的な設計では、説明された機能は、ハードウェア、ソフトウェア、ファームウェア、またはこれらの任意の組み合わせにおいて、コンピュータ実行可能な命令を通してインプリメントされ得る。ソフトウェアにおいてインプリメントされる場合、これら機能は、１つまたは複数の命令またはコードとして、コンピュータ読取可能な媒体に記憶されるかまたはコンピュータ読取可能な媒体上で送信され得る。コンピュータ読取可能な媒体は、ある場所から別の場所へのコンピュータプログラムの移送を容易にする任意の媒体を含む通信媒体とコンピュータ記憶媒体との両方を含む。コンピュータ読取可能な記憶媒体は、汎用または専用コンピュータによってアクセス可能な任意の利用可能な媒体であり得る。限定ではなく例として、このようなコンピュータ読取可能な媒体は、ＲＡＭ、ＲＯＭ、ＥＥＰＲＯＭ、ＣＤ−ＲＯＭまたは他の光ディスク記憶装置、磁気ディスク記憶装置または他の磁気記憶デバイス、あるいは、データ構造または命令の形式で所望のプログラムコード手段を記憶または搬送するために使用されることができ、かつ、汎用または専用コンピュータまたは汎用または専用プロセッサによってアクセス可能な任意の他の媒体を備えることができる。また、接続は、厳密にはコンピュータ読取可能な媒体と称され得る。例えば、ソフトウェアが、ウェブサイト、サーバ、または他のリモートソースから、同軸ケーブル、光ファイバーケーブル、ツイストペア、またはデジタル加入者回線（ＤＳＬ）を使用して送信される場合、同軸ケーブル、光ファイバーケーブル、ツイストペア、またはＤＳＬは、媒体の定義に含まれる。本明細書で使用される場合、ディスク（disk）およびディスク（disc）は、コンパクトディスク（ＣＤ）、レーザーディスク（登録商標）、光ディスク、デジタル多用途ディスク（ＤＶＤ）、フロッピー（登録商標）ディスク、およびｂｌｕ−ｒａｙディスクを含み、ここで、ディスク（disk）は、通常磁気的にデータを再生し、ディスク（disc）は、レーザーを用いて光学的にデータを再生する。上記の組合せもまた、コンピュータ読取可能な媒体の範囲内に含まれるべきである。
【００９７】
[00105]本明細書、特許請求の範囲を含む、で使用される場合、「および／または」という用語は、２つ以上の項目のリストに使用されるとき、リストされた項目のうちの任意の１つが単独で用いられることができること、または、リストされた項目の２つ以上の任意の組合せが用いられることができること、を意味する。例えば、ある構成（composition）が、構成要素Ａ、Ｂ、および／またはＣを含むとして説明される場合、その構成は、Ａ単体、Ｂ単体、Ｃ単体、ＡとＢとの組合せ、ＡとＣとの組合せ、ＢとＣとの組合せ、またはＡとＢとＣとの組合せを含むことができる。また、本明細書、特許請求の範囲を含む、で使用される場合、「〜のうちの少なくとも１つ」で終わる項目のリストで使用される「または／あるいは」は、例えば、「Ａ、Ｂ、またはＣのうちの少なくとも１つ」というリストが、ＡまたはＢまたはＣまたはＡＢまたはＡＣまたはＢＣまたはＡＢＣ（すなわち、ＡおよびＢおよびＣ）あるいはそれらの任意の組合せでのそれらの任意のものをも意味するような、選言的なリスト（disjunctive list）を示す。
【００９８】
[00106]本開示の先の説明は、当業者による本開示の実行または使用を可能にするために提供される。本開示に対する様々な修正は、当業者には容易に明らかであり、本明細書で定義された包括的な原理は、本開示の精神または範囲から逸脱することなく、他の変形に適用され得る。ゆえに、本開示は、本明細書で説明された例および設計に限定されるようには意図されるものではなく、本明細書で開示された原理および新規の特徴に合致する最も広い範囲を与えられるべきである。
【００９９】
[00107]次に、特許請求の範囲を示す。
【図１】
2019511853.tif 000003
【図２】
2019511853.tif 000004
【図３】
2019511853.tif 000005
【図４Ａ】
2019511853.tif 000006
【図４Ｂ】
2019511853.tif 000007
【図５Ａ】
2019511853.tif 000008
【図５Ｂ】
2019511853.tif 000009
【図６Ａ】
2019511853.tif 000010
【図６Ｂ】
2019511853.tif 000011
【図７】
2019511853.tif 000012
【図８】
2019511853.tif 000013
【国際調査報告】
2019511853.tif 000014
2019511853.tif 000015